(57)【特許請求の範囲】
【請求項１】
貨幣を収納しかつ管理する貨幣管理装置と通信可能に接続され得る出納機であって、
前記出納機と前記貨幣管理装置との間の接続を検知する検知部と、
貨幣の移動先または移動元となる取引先の情報を含む取引先メニューを表示する表示部と、
前記表示部に表示された前記取引先メニューから特定の取引先を選択可能な操作部と、を備え、
前記表示部は、前記出納機と前記貨幣管理装置との間の接続の有無に応じて異なる取引先メニューを表示するもので、前記取引先メニューは、前記出納機と前記貨幣管理装置とが接続されている場合は前記貨幣管理装置を含み、前記出納機と前記貨幣管理装置とが切断されている場合は前記貨幣管理装置を含まないことを特徴とする出納機。
【請求項２】
前記表示部は、前記取引先の優先順位を予め設定するために、複数の前記取引先を含む初期設定メニューを表示し、
前記初期設定メニューは、前記出納機と前記貨幣管理装置との間の接続の有無に応じて異なる前記取引先を含み、
前記表示部は、貨幣の入金または出金時において、前記初期設定メニューで設定した前記取引先の優先順位に従って順次、取引先を表示することを特徴とする請求項１に記載の出納機。
【請求項３】
前記初期設定メニューは、前記出納機と前記貨幣管理装置とが接続されている場合は、前記貨幣管理装置を含み、前記出納機と前記貨幣管理装置とが切断されている場合は、前記貨幣管理装置を含まないことを特徴とする請求項２に記載の出納機。
【請求項４】
前記出納機から出金される貨幣、あるいは、前記出納機へ入金される貨幣が、包装貨幣または束紙幣を含み、かつ、前記出納機と前記貨幣管理装置とが接続されている場合に、前記表示部は、前記取引先メニューとして前記貨幣管理装置を含む第１の取引先メニューを表示し、
前記出納機から出金される貨幣、あるいは、前記出納機へ入金される貨幣が、前記包装貨幣または前記束紙幣を含まず、あるいは、前記出納機と前記貨幣管理装置とが切断されている場合に、前記表示部は、前記取引先メニューとして前記貨幣管理装置を含まない第２の取引先メニューを表示することを特徴とする請求項１から請求項３のいずれかに記載の出納機。
【請求項５】
前記操作部において、前記出納機に収納された貨幣を前記貨幣管理装置に回収する処理、または、前記貨幣管理装置に収納された貨幣を前記出納機に装填する処理を選択することができ、
前記回収処理または前記装填処理が選択され、かつ、前記出納機と前記貨幣管理装置とが接続されている場合、前記表示部は、前記取引先メニューとして前記貨幣管理装置を含む第１の取引先メニューを表示し、
前記回収処理または前記装填処理が選択されたとしても、前記出納機と前記貨幣管理装置とが切断されている場合、前記表示部は、前記取引先メニューとして前記貨幣管理装置を含まない第２の取引先メニューを表示することを特徴とする請求項１から請求項４のいずれかに記載の出納機。
【請求項６】
前記操作部において、前記貨幣管理装置および前記出納機からなる貨幣管理システムの外部からの入金処理を選択することができ、
前記外部からの入金処理が選択された場合、前記出納機と前記貨幣管理装置との接続に関わらず、前記表示部は、前記取引先メニューとして前記貨幣管理装置を含まない第２の取引先メニューを表示することを特徴とする請求項１から請求項５のいずれかに記載の出納機。
【請求項７】
前記操作部において、入金される貨幣が新券か否かを選択可能であり、
入金される貨幣が新券であると選択された場合、前記表示部は、前記取引先メニューとして前記貨幣管理装置を含む第１の取引先メニューを表示することを特徴とする請求項１から請求項６のいずれかに記載の出納機。
【請求項８】
貨幣を収納し、貨幣を出金または入金する出納機と、該出納機と通信可能に接続され、該出納機とは別に貨幣を収納しかつ管理する貨幣管理装置とを備えた貨幣管理システムであって、
前記出納機は、
前記出納機と前記貨幣管理装置との間の接続を検知する検知部と、貨幣の移動先または移動元となる取引先の情報を含む取引先メニューを表示する表示部と、前記表示部に表示された前記取引先メニューから特定の取引先を選択可能な操作部と、を備え、前記表示部は、前記出納機と前記貨幣管理装置との間の接続の有無に応じて異なる取引先メニューを表示するもので、前記取引先メニューは、前記出納機と前記貨幣管理装置とが接続されている場合は前記貨幣管理装置を含み、前記出納機と前記貨幣管理装置とが切断されている場合は前記貨幣管理装置を含まず、
前記貨幣管理装置は、該貨幣管理装置が前記出納機において前記取引先として選択された場合に入金または出金される貨幣を収納する収納部と、前記出納機からの前記貨幣の情報を受信する受信部と、を備えていることを特徴とする貨幣管理システム。
【発明の詳細な説明】
【技術分野】
【０００１】
本発明は、相互に通信可能に構成された出納機（貨幣管理本体機）および貨幣管理装置（貨幣管理端末機）、並びに、出納機と貨幣管理装置とを備えた貨幣管理システムに関する。
【背景技術】
【０００２】
実用新案登録２５９９２３２号公報には、貨幣管理装置が開示されている。当該貨幣管理装置では、金種ごとに収納庫が設けられ、また、収納庫ごとに重量測定手段が設けられている。当該重量測定手段によって、金種ごとの重量が測定され、当該重量から金種ごとの棒金の本数が計算される。計算された棒金の本数は、測定日時と共に記憶され、表示される。重量の測定、棒金の本数の計算及び記憶は、貨幣管理装置が操作される度に（データ変更がある度に）行われる。
【０００３】
このような装置は、入金の際に出納機内の現金が多くなって入らなくなったときに、利用されている。そして、その出納機内の現金が少なくなったときに、このような装置から逆に現金が取り出され、出納機に補充されている。
【０００４】
このような装置を用いる場合、行員は、入出金を操作する時に、入金金額乃至出金金額を台帳等に記入する。
【０００５】
しかしながら、台帳に記入された入出金額と実際の入出金額とが異なっていると、問題が生じる。装置側では、実際の入出金額しか測定できないため、台帳に記入された入出金額が正しいかどうか精査できない。更に、このような装置は、誰が入出金の操作を行ったのかについて、管理を行っていない（行員であれば、誰でも収納庫を開閉することができる）。従って、例えば、行員が入出金額をごまかして不正を行うということが理論上可能である。
【０００６】
また、このような装置では、出納機と貨幣管理装置との在高の管理が連動されていないため、それらを総合的に管理することが困難である。
【０００７】
一方、複数の自動取引装置の現金残高を集計することができる現金管理システムが、特許第２７２６５５０号公報に記載されている。この現金管理システムでは、複数の自動取引装置の在高を総合的に管理することができる。
【０００８】
しかし、この特許に記載された現金管理システムでは、複数の自動取引装置と現金整理機とは通信可能に接続されてはおらず、システム全体としての総合的な在高管理を行うために、記憶手段及び出力手段を有する装填庫を複数の自動取引装置と現金整理機とに着脱して回って在高情報を収集しなければならず、その作業がかなり煩雑且つ面倒であり、各在高情報を連動させて管理するために相当な所要時間が費やされると考えられる。
【先行技術文献】
【特許文献】
【０００９】
【特許文献１】実用新案登録２５９９２３２号公報
【特許文献２】特許第２７２６５５０号公報
【発明の概要】
【発明が解決しようとする課題】
【００１０】
上述のように、従来の技術においては、システムを構成する出納機（貨幣管理本体機）及び貨幣管理装置（貨幣管理端末機）の在高情報を容易に連動又は連携させることができる貨幣管理システムは提供されていなかったというのが実情である。
【００１１】
また、貨幣を入出金する場合、出納機に表示される入出金先のメニューは固定されていた。例えば、入金元または出金先として行員の「手持ち」が予め設定されている場合、貨幣を他の入金元または出金先へ移動処理するときに、操作者は入金元または出金先の設定を変更する必要があった。入金元または出金先を頻繁に変更する場合、操作者は入金元または出金先の設定を頻繁に変更する必要が生じるため、操作が煩雑になり、出納機の操作性を損ねるおそれがあった。
【００１２】
本発明は、斯かる課題を解決するためになされたものであり、システムを構成する出納機が貨幣管理装置の在高情報を受け取ることにより正確な在高管理を可能とする出納機、および、貨幣管理システムを提供することを目的とする。
【００１３】
また、本発明は、出納機と貨幣管理装置との間の入出金時のセキュリティおよび貨幣管理を向上させ、尚且つ、処理される貨幣の入金元または出金先の設定操作を簡便にすることができる出納機、および、貨幣管理システムを提供することを目的とする。
【課題を解決するための手段】
【００１４】
本発明に係る実施形態に従った出納機は、貨幣を収納しかつ管理する貨幣管理装置と通信可能に接続され得る出納機であって、前記出納機と前記貨幣管理装置との間の接続を検知する検知部と、貨幣の移動先または移動元となる取引先の情報を含む取引先メニューを表示する表示部と、前記表示部に表示された前記取引先メニューから特定の取引先を選択可能な操作部と、を備え、前記表示部は、前記出納機と前記貨幣管理装置との間の接続の有無に応じて異なる取引先メニューを表示するもので、前記取引先メニューは、前記出納機と前記貨幣管理装置とが接続されている場合は前記貨幣管理装置を含み、前記出納機と前記貨幣管理装置とが切断されている場合は前記貨幣管理装置を含まないことを特徴とする。
【００１５】
前記表示部は、前記取引先の優先順位を予め設定するために、複数の前記取引先を含む初期設定メニューを表示し、前記初期設定メニューは、前記出納機と前記貨幣管理装置との間の接続の有無に応じて異なる前記取引先を含み、前記表示部は、貨幣の入金または出金時において、前記初期設定メニューで設定した前記取引先の優先順位に従って順次、取引先を表示してもよい。
【００１６】
前記初期設定メニューは、前記出納機と前記貨幣管理装置とが接続されている場合は、前記貨幣管理装置を含み、前記出納機と前記貨幣管理装置とが切断されている場合は、前記貨幣管理装置を含まないように構成してよい。
【００１７】
前記出納機から出金される貨幣、あるいは、前記出納機へ入金される貨幣が、包装貨幣または束紙幣を含み、かつ、前記出納機と前記貨幣管理装置とが接続されている場合に、前記表示部は、前記取引先メニューとして前記貨幣管理装置を含む第１の取引先メニューを表示し、前記出納機から出金される貨幣、あるいは、前記出納機へ入金される貨幣が、前記包装貨幣または前記束紙幣を含まず、あるいは、前記出納機と前記貨幣管理装置とが切断されている場合に、前記表示部は、前記取引先メニューとして前記貨幣管理装置を含まない第２の取引先メニューを表示してもよい。
【００１８】
前記操作部において、前記出納機に収納された貨幣を前記貨幣管理装置に回収する処理、または、前記貨幣管理装置に収納された貨幣を前記出納機に装填する処理を選択することができ、 前記回収処理または前記装填処理が選択され、かつ、前記出納機と前記貨幣管理装置とが接続されている場合、前記表示部は、前記取引先メニューとして前記貨幣管理装置を含む第１の取引先メニューを表示し、 前記回収処理または前記装填処理が選択されたとしても、前記出納機と前記貨幣管理装置とが切断されている場合、前記表示部は、前記取引先メニューとして前記貨幣管理装置を含まない第２の取引先メニューを表示するように構成してよい。
【００１９】
前記操作部において、前記貨幣管理装置および前記出納機からなる貨幣管理システムの外部からの入金処理を選択することができ、前記外部からの入金処理が選択された場合、前記出納機と前記貨幣管理装置との接続に関わらず、前記表示部は、前記取引先メニューとして前記貨幣管理装置を含まない第２の取引先メニューを表示するように構成されていてよい。
【００２０】
前記操作部において、入金される貨幣が新券か否かを選択可能であり、入金される貨幣が新券であると選択された場合、前記表示部は、前記取引先メニューとして前記貨幣管理装置を含む第１の取引先メニューを表示するように構成してよい。
【００２３】
本発明に係る実施形態に従った貨幣管理システムは、貨幣を収納し、貨幣を出金または入金する出納機と、該出納機と通信可能に接続され、該出納機とは別に貨幣を収納しかつ管理する貨幣管理装置とを備えた貨幣管理システムであって、
前記出納機は、
前記出納機と前記貨幣管理装置との間の接続を検知する検知部と、貨幣の移動先または移動元となる取引先の情報を含む取引先メニューを表示する表示部と、前記表示部に表示された前記取引先メニューから特定の取引先を選択可能な操作部と、を備え、前記表示部は、前記出納機と前記貨幣管理装置との間の接続の有無に応じて異なる取引先メニューを表示するもので、前記取引先メニューは、前記出納機と前記貨幣管理装置とが接続されている場合は前記貨幣管理装置を含み、前記出納機と前記貨幣管理装置とが切断されている場合は前記貨幣管理装置を含まず、
前記貨幣管理装置は、該貨幣管理装置が前記出納機において前記取引先として選択された場合に入金または出金される貨幣を収納する収納部と、前記出納機からの前記貨幣の情報を受信する受信部と、を備えていることを特徴とする。
【発明の効果】
【００２５】
本発明は、システムを構成する出納機及び貨幣管理装置の在高情報を容易に連動又は連携させることで、貨幣管理装置からの貨幣を出納機に移動させたり、出納機からの貨幣を貨幣管理装置に移動させた際、正確に在高管理を可能とする出納機、および、貨幣管理システムを提供することができる。
【００２６】
また、本発明による出納機、および、貨幣管理システムは、出納機と貨幣管理装置との間の入出金時のセキュリティおよび貨幣管理を向上させ、尚且つ、処理される貨幣の入金元または出金先の設定操作を簡便にすることができる。
【図面の簡単な説明】
【００２７】
【図１】本発明の一実施の形態を示すシステム概略図である。
【図２】図１の出納機の外観を示す斜視図である。
【図３】図１及び図２の出納機の機能ブロック図である。
【図４】束紙幣処理部Ｐ１の構成を示す断面図である。
【図５】図１の貨幣管理装置の外観を示す斜視図である。
【図６】図１及び図５の貨幣管理装置の第２紙幣収納ドロアの斜視図である。
【図７】図１及び図５の貨幣管理装置の第２硬貨収納ドロアの斜視図である。
【図８】図１及び図５の貨幣管理装置の予備収納庫の斜視図である。
【図９】図１及び図５の貨幣管理装置の機能ブロック図である。
【図１０】出納機の側での入出金操作準備プロセスの一例のフローチャートである。
【図１１】貨幣管理装置における入出金操作準備プロセスの一例のフローチャートである。
【図１２】出納機への入金中に収納庫のいずれかがフルになった場合の割込み回収処理の動作を示すフロー図である。
【図１３】回収処理キュー（連携情報）を示す概念図である。
【図１４】出納機からの出金中に収納庫のいずれかがエンプティになった場合の割込み装填処理の動作を示すフロー図である。
【図１５】本発明の実施の一形態に係る貨幣管理システムによる在高管理の全体像を模式的に表した説明図である。
【図１６】本発明の実施の一形態に係る貨幣管理システムにおいて管理される各在高を表示するための選択メニュー表示例である。
【図１７】本発明の実施の一形態に係る貨幣管理システムにおいて行うことができる運用方法の例を示す説明図である。
【図１８】貨幣管理装置２００での入出金操作時における出納機１００と貨幣管理装置２００との間のデータ送受信及び動作（操作）手順を模式的に表した説明図である。
【図１９】本発明の実施の一形態に係る貨幣管理システムにおいて行われる出納機及び貨幣管理装置での連携情報を含む各種情報処理の流れを模式的に表した説明図である。
【図２０】本発明の実施の一形態に係る貨幣管理システムにおいて作成及び更新される連携情報の内容の例を示す説明図である。
【図２１】本発明の実施の一形態に係る貨幣管理システムにおいて作成及び更新される連携情報の内容の例を示す説明図である。
【図２２】出納機１００及び貨幣管理装置２００による連携処理を行う場合における出納機１００の画面表示例を示す説明図である。
【図２３】出納機１００と貨幣管理装置２００とが切断されている場合の取引先メニュー画面表示例を示す説明図である。
【図２４】出納機及び貨幣管理装置による連携処理を行う場合における貨幣管理装置の画面表示例を示す説明図である。
【図２５】出納機及び貨幣管理装置による連携処理を行う場合における貨幣管理装置の画面表示例を示す説明図である。
【図２６】貨幣管理装置のメニュー選択画面表示例を示す説明図である。
【図２７】貨幣管理装置から取得した簡略合計のデータ内容の例と出納機が管理している連携情報から計算した取引集計結果の内容の例とを示す説明図である。
【図２８】貨幣管理装置の取引履歴照会により未処理チェックを行う際の画面表示例を示す説明図である。
【図２９】本実施形態における全回収処理の流れを示すフロー図である。
【図３０】全回収処理の明細の一例を示す概念図である。
【図３１】本実施形態におけるデータクリア処理の流れを示すフロー図である。
【図３２】初期設定メニューを表示する出納機１００の画面表示例を示す説明図である。
【図３３】貨幣の処理時において、出納機１００に表示される取引先メニューの画面表示例を示す説明図である。
【図３４】出納機１００及び貨幣管理装置２００による連携処理を行う場合における出納機１００の画面表示例を示す説明図である。
【発明を実施するための形態】
【００２８】
以下、本発明に係る貨幣管理システムの実施の一形態について、図面を参照しながら説明する。
【００２９】
（第１の実施形態）
図１は、本発明の実施の一形態を示すシステム概略図である。図１に示す貨幣管理システム（貨幣処理システム）３００は、相互に通信可能に構成された出納機１００と貨幣管理装置２００（現金バスとも呼ばれる）とを備えている。出納機１００が、貨幣管理本体機（貨幣処理本体機）として機能し、貨幣管理装置２００が、貨幣管理端末機（貨幣処理端末機）として機能するようになっている。出納機１００及び貨幣管理装置２００は、それぞれ、上位の貨幣管理装置（貨幣処理装置）及び下位の貨幣管理装置（貨幣処理装置）、として理解されてもよい。また、１台の出納機１００に対して、複数台の貨幣管理装置２００が通信可能に設けられてもよい。
【００３０】
図２は、出納機１００の外観を示す斜視図である。図３は、出納機１００の機能ブロック図である。
【００３１】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２において、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口、である。
【００３２】
また、この出納機１００は、現金以外の有価証券類を投入する現金外ボックス１４、出納機１００全体を制御する制御部１５、制御部１５に各種の指示を与えるキーボード式操作部１６、制御部１５による指示に従って印字処理を行う外部プリンタ１８、を備えている。外部プリンタ１８が、レシート発行装置及び／又は認証印字プリンタとして機能するようになっている。本実施の形態では、許可者に対して操作情報を提供するために、操作情報に対応する４桁の数字(連携番号)が伝票に印字されるようになっている。
【００３３】
制御部１５は、その一部として、一般行員及び管理者とのインタフェースとしての表示部１５ａと、一般行員及び管理者が所持するＩＤカードの内容を読み取るＩＤカードリーダ１５ｂと、を備えている。本実施の形態においてはＩＤカードリーダが用いられているが、これに限られず、公知の顔認証端末や、指に流れる静脈を認証するもの等、使用者本人を認証する個人認証情報であれば何を用いても構わない。
【００３４】
また、図３に示すように、この制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、ＲＯＭ１５ｄやハードディスクドライブ１５ｇ内に格納されたプログラムを実行等して出納機１００全体を制御する制御部（ＣＰＵ）１５ｃ、スイッチ１５ｈ、検知部１５ｊと、を備えている。検知部１５ｊは、貨幣管理装置２００との通信接続を検知するように構成されている。検知部１５ｊは、例えば、貨幣管理装置２００がインタフェース１９に通信接続されたときにフラグを立てるレジスタでよい。インタフェース１９が貨幣管理装置２００から切断されているときには、検知部１５ｊは、フラグをリセットする。制御部１５ｃは、検知部１５ｊのフラグの状態に応じて貨幣管理装置２００の接続／切断を判断することができる。このレジスタは、制御部１５ｃ内に内蔵されていてもよい。
【００３５】
また、図３に示すように、出納機１００は、貨幣管理装置２００との間でデータ通信を行う通信インタフェース（通信ＩＦ）１９を備えている。これにより、出納機１００（貨幣管理本体機）と貨幣管理装置２００（貨幣管理端末機）とは、相互に通信可能となっている。例えば、出納機１００と貨幣管理装置２００とは、無線ＬＡＮ、光ＬＡＮ等で通信可能なように接続されている。
【００３６】
スイッチ１５ｈは、後述するように、連携番号の入力の要否を切り替えるためのスイッチである。例えば、スイッチ１５ｈをオフ状態にした場合には、出納機１００は、連携情報を印字したレシートを発行せず、貨幣管理装置２００は、連携番号の入力を操作者に要求しない。一方、スイッチ１５ｈをオン状態にした場合には、出納機１００は、連携情報を印字したレシートを発行し、貨幣管理装置２００は、連携番号の入力を操作者に要求する。連携番号の入力の要否選択については、図１０等を参照して後述する。
【００３７】
図４は、束紙幣処理部Ｐ１の構成を示す断面図である。図４を参照して、束紙幣処理部Ｐ１の具体的構成について説明する。
【００３８】
束紙幣処理部Ｐ１は、当該処理部Ｐ１に対して出し入れされる紙幣束Ｂを垂直方向に移動させるための紙幣束昇降通路２と、予め結束されている紙幣束Ｂ（収納紙幣束）を収納する紙幣束収納部３とを備えている。また、この束紙幣処理部Ｐ１は、昇降通路２と収納部３との間で紙幣束Ｂを水平方向に移動させる搬送手段（収納紙幣束繰出し手段）４と、この搬送手段４によって移動される紙幣束Ｂの金種等を識別する識別部（識別手段）Ｄとを備えている。
【００３９】
また、紙幣束収納部３の上方には、所定枚数のバラ紙幣の束Ｂ’を結束帯（帯封）Ｗで結束して紙幣束Ｂを形成すると共に、その結束帯Ｗに所定の印字等を行うための結束印字部５が設けられている。この結束印字部５の後方には、バラ紙幣処理部Ｐ２からバラ紙幣の束Ｂ’を搬入するための束搬送ユニット６（後述）が進入可能となっている。
【００４０】
上記の昇降通路２、収納部３、搬送手段４および結束印字部５は、図４に示す筐体１内に納められており、束搬送ユニット６もこの筐体１（および後述するバラ紙幣処理部Ｐ２の筐体１’）内を移動するようになっている。
【００４１】
紙幣束昇降通路２は、筐体１の前面側に沿って配置され、内部に紙幣束Ｂを乗せて昇降する昇降ステージ（紙幣束集積部）２０が設けられている。この昇降ステージ２０の上面側には、前下がりに傾斜するように揺動可能な傾斜板２２が設けられている。昇降通路２の上部は、シャッター（開閉部材）１１１によって開閉される束入出金口１０を通じて外部と連通可能となっている。また、昇降通路２の下部は、施錠装置１１４付きの開閉扉１１２を前方へ開くことで全体的に開放されると共に、開閉扉１１２に設けられたシャッター開閉式の束放出口１１３を通じて部分的に外部と連通可能にもなっている。
【００４２】
紙幣束収納部３は、前後方向に一列に配置された３つの束収納庫３ａ〜３ｃを有している。これらの束収納庫３ａ〜３ｃは、紙幣束Ｂを金種別に収納する万円束収納庫（万円紙幣束収納部）３ｂおよび千円束収納庫（千円紙幣束収納部）３ｃと、紙幣束Ｂを万円および千円の金種混合状態で一括して収納する一括束収納庫３ａとに分けられる。各束収納庫３ａ〜３ｃは、独立して着脱可能なカセット式のものであり、それぞれ上端部が開口すると共に、内部にパンタグラフ機構３２付きの昇降ステージ３０が設けられている。
【００４３】
搬送手段４は、収納部３上から昇降通路２内まで水平に延びる左右一対の搬送ベルト４４を有している。各搬送ベルト４４は、一対のプーリ４０，４１同士の間に掛け渡されると共に、外側に４本のピン４５が所定間隔で突設されている。各搬送ベルト４４に対して、一対のプーリ４０，４１同士の間（昇降通路２の直後）に第３のプーリ４２が配置されている。そして、昇降通路２側の２つのプーリ４０，４２同士の間を連結するレバー４８が、プーリ４２の回転軸を中心として上方へ９０度揺動可能となっている。
【００４４】
これにより、搬送手段４の昇降通路２側部分は、水平な搬送位置から垂直な待避位置へ揺動することで昇降通路２内から待避可能な揺動待避部４ａを成している。
【００４５】
この搬送手段４と各束収納庫３ａ〜３ｃ（および３ｄ，３ｅ）との間には、左右に開閉する一対の開閉板３４が、それぞれ設けられている。また、搬送手段４の揺動待避部４ａと昇降通路２下部との間にも、同じく一対の開閉板３４が設けられている。各束収納庫３ａ〜３ｃ（および３ｄ，３ｅ）に対応する開閉板３４同士の間には、それぞれ仕切板３６が設けられている。各仕切板３６の上端面には、紙幣束Ｂの通過や斜行を検出するための一対のセンサ３７が設けられている。
【００４６】
各束収納庫３ａ〜３ｃの上端部には、エンプティ検知部３５がそれぞれ設けられている。エンプティ検知部３５は、各束収納庫３ａ〜３ｃに収納される紙幣束Ｂの僅少状態を検知する。一方、各束収納庫３ａ〜３ｃの下端部には、フル検知部３９がそれぞれ設けられている。フル検知部３９は、各束収納庫３ａ〜３ｃに収納される紙幣束Ｂの満杯状態を検知する。通常、各束収納庫３ａ〜３ｃ内において、昇降ステージ３０は、最も上に収納された紙幣束Ｂの上面が昇降ステージ３０の上端部に位置するように紙幣束Ｂを収納する。
【００４７】
従って、エンプティ検知部３５が昇降ステージ３０を検知することによって、該エンプティ検知部３５に対応する束収納庫がエンプティであることが判明する。また、フル検知部３９が昇降ステージ３０を検知することによって、該フル検知部３９に対応する束収納庫がフルであることが判明する。
【００４８】
束収納庫３ａ上の開閉板３４と昇降通路２内の開閉板３４との間には、上記識別部Ｄが配置されている。
【００４９】
これらの開閉板３４、仕切板３６および識別部Ｄと、搬送手段４との間に、紙幣束Ｂが水平方向に搬送される搬送路Ｃが形成されている。すなわち、搬送路Ｃ内において、搬送ベルト４４のピン４５によって搬送力を受ける紙幣束Ｂが、開閉板３４等の上を摺動しながら搬送されるようになっている。なお、一対の搬送ベルト４４同士の間には、各束収納庫３ａ〜３ｃ（および３ｄ，３ｅ）上の開閉板３４と対向した押圧検知板３８が配置されている。
【００５０】
ここで、図４を参照して、各束収納庫３ａ〜３ｃにおける紙幣束Ｂの収納および投出がどのようにして行われるかを説明する。なお、図４では、いずれの束収納庫であるかを特定することなく、束収納庫３ａ〜３ｃとして説明する。
【００５１】
収納時には、結束印字部５で結束された紙幣束Ｂ、又はシャッター１１１から投入された紙幣束Ｂをステージ２０に載置する。重積された最も上の紙幣束Ｂが搬送手段４の高さになる位置までステージ２０が下降すると、紙幣束Ｂは搬送手段４で搬送可能になる。そして紙幣束Ｂは、収納すべき収納庫３ａ〜３ｃに対応した開閉板３４上まで搬送手段４で搬送される。一方、収納庫３ａ〜３ｃ内では、昇降ステージ３０が、収納する紙幣束Ｂを受け取る高さまで上昇する。この状態で一対の開閉板３４を左右に開いて、当該紙幣束Ｂを昇降ステージ３０（その上に重積している紙幣束Ｂ）上に落下させる。その後、一対の開閉板３４が閉じられ、昇降ステージ３０が所定位置まで降下して、当該紙幣束Ｂの収納が完了する。
【００５２】
次に投出時には、紙幣束Ｂを投出すべき収納庫３ａ〜３ｃ上の開閉板３４が左右に開かれ、紙幣束Ｂを載せた昇降ステージ３０が上昇する。このとき、開閉板３４の開放に連動して押圧検知板３８が降下して、紙幣束Ｂの上昇高さを規制する。具体的には、押圧検知板３８は、最上部の紙幣束Ｂによって押し上げられると、ステージ３０の上昇を停止させるスイッチとして作用する。これにより、最上部の紙幣束Ｂのみを搬送路Ｃ上に出して搬送手段４で一束ずつ搬送することができる。
【００５３】
次に、図４に示す結束印字部５は、束搬送ユニット６によって搬送されてきたバラ紙幣の束Ｂ’を結束帯Ｗで結束して紙幣束Ｂ（結束紙幣束）を形成するための結束装置５ａと、その紙幣束Ｂの結束帯Ｗに所定の印字等を行うためのプリンタ（印字手段）５ｂとを有している。結束装置５ａは、バラ紙幣の束Ｂ’を挟持する挟持手段５０と、挟持された束Ｂ’に（ロール５３から引き出した）結束帯Ｗを巻き付けるための旋回アーム５２とを有している。そのような結束装置５ａとしては、周知のものを用いることが出来る。結束装置５ａは、その他、巻き付けられた結束帯Ｗの端部を接着する接着コテ５５と、結束帯Ｗを１束分ずつ切断するカッター５６とを有している。
【００５４】
また、結束印字部５には、結束された紙幣束Ｂを昇降通路２の上部へ繰り出すための上方搬送ベルト（結束紙幣束繰出し手段）５８，５９が設けられている。そのうち上側の搬送ベルト５８に隣接して、紙幣束Ｂの結束帯Ｗに金融機関名を印字するための行名スタンプ５ｃと、損券紙幣を束ねた結束帯Ｗに損券マークを押印するための損券スタンプ５ｄとが配置されている。また、各搬送ベルト５８，５９の挟持手段５０に対応する側は、結束帯Ｗの巻き付け時等に外側に待避する揺動待避部５８ａ，５９ａを成している。なお、この結束印字部５は、昇降通路２内（ステージ２０上）へ繰り出される前の紙幣束Ｂ（結束紙幣束）を所定の「保有束数」（例えば４束）だけ保有可能に構成されている。
【００５５】
ここで、図４を参照して、束紙幣処理部Ｐ１とバラ紙幣処理部Ｐ２に共通の上記束搬送ユニット６について説明する。この束搬送ユニット６は、バラ紙幣の束Ｂ’を把持する上下一対の把持部６ａと、これらの把持部６ａを移動させる移動部６ｂとを有している。束搬送ユニット６の移動部６ｂは、把持部６ａを、前後方向に進退移動させると共に、束紙幣処理部Ｐ１とバラ紙幣処理部Ｐ２との間で左右方向に移動させるようになっている。
【００５６】
［基本動作］
次に、本実施形態の紙幣処理装置における出金処理に関連した基本動作（制御）の内容について、図４を参照して説明する。
【００５７】
（１）収納紙幣束の出金動作
これは、束紙幣処理部Ｐ１において、紙幣束収納部３に収納されていた紙幣束Ｂ（収納紙幣束）を出金して、束入出金口１０からの取り出しに供するための動作である。
【００５８】
具体的には、図４に示す束紙幣処理部Ｐ１において、まず出金すべき金種の収納庫３ａ〜３ｃ（通常は、一括束収納庫３ｃを除く）から搬送路Ｃへ紙幣束Ｂが投出される。搬送路Ｃへ投出された紙幣束Ｂは、搬送手段４によって昇降通路２まで搬送され、そこで待機している昇降ステージ２０上に集積される。次に、搬送手段４の揺動待避部４ａが、搬送位置から待避位置へ揺動して昇降通路２内から待避する。その後、収納紙幣束のみを出金する場合は、ステージ２０が出金位置ｈ２まで上昇し、シャッター１１１が開いて束入出金口１０を開放することで、紙幣束Ｂが束入出金口１０からの取り出し（支払）に供される。
【００５９】
（２）結束紙幣束の出金動作
これは、バラ紙幣処理部Ｐ２のバラ収納庫に収納されていたバラ紙幣を、束紙幣処理部Ｐ１において紙幣束Ｂ（結束紙幣束）として出金し、束入出金口１０からの取り出しに供するための動作である。
【００６０】
具体的には、まずバラ紙幣処理部Ｐ２において、出金すべき紙幣束Ｂに対応する金種のバラ収納庫（通常は、５千円，２千円バラ収納庫）からバラ紙幣が、繰出し機構によって１枚ずつ繰り出され、出金搬送路に沿って搬送されて行く。出金識別部を通過したバラ紙幣は（出金リジェクト箱へ送られるものを除いて）スタッカに集積され、バラ紙幣の束Ｂ’として搬送ユニット６で束紙幣処理部Ｐ１へ搬送される。
【００６１】
図４に示す束紙幣処理部Ｐ１へ搬送されたバラ紙幣の束Ｂ’は、搬送ユニット６によって結束印字部５に送り込まれる。送り込まれたバラ紙幣の束Ｂ’は、結束手段５ａによって結束帯Ｗで結束され、紙幣束Ｂ（結束紙幣束）として搬送ベルト５８，５９で昇降通路２へ繰り出される。その間、結束帯Ｗには、プリンタ５ｂによる所定の印字等と行名スタンプ５ｃによる押印がなされると共に、必要に応じて損券スタンプ５ｄによる押印がなされる。
【００６２】
昇降通路２へ繰り出された紙幣束Ｂは、受取位置ｈ１で待機している昇降ステージ２０上（既に収納紙幣束が集積されている場合は、その上）に集積される。その後、ステージ２０が出金位置ｈ２まで降下した後、シャッター１１１が開いて束入出金口１０を開放することで、紙幣束Ｂが束入出金口１０からの取り出し（支払）に供される。
【００６３】
［出金処理］
次に、本実施形態の紙幣処理装置における出金処理（制御）の内容について説明する。
【００６４】
まず、万円紙幣３５０枚、５千円紙幣１３０枚、２千円紙幣１１０枚および千円紙幣４８０枚の出金指示があったとすると、（１束につき１００枚として）各枚数を１００で割った商と余りが、それぞれ出金すべき紙幣束の束数とバラ紙幣の枚数となる。すなわち、この場合、万円紙幣が３束＋５０枚、５千円紙幣が１束＋３０枚、２千円紙幣が１束＋１０枚、千円紙幣が４束＋８０枚という結果になる。
【００６５】
そして、制御手段は、この結果に基づいたバラ紙幣の出金指示を行う。一方、紙幣束については、制御手段が、金種ごとの束収納庫の有無に応じて異なる制御を行う。すなわち、束収納庫の有る金種（この場合は万円および千円）については、収納紙幣束の出金指示を行う。
【００６６】
一方、束収納庫の無い金種（この場合は５千円および２千円）については、バラ紙幣の集積終了後に、結束紙幣束の出金指示を行う。
【００６７】
すなわち、必要な結束紙幣束の束数が保有束数を超えるときは、結束印字部５内の結束紙幣束が保有束数に達した時点で、結束出金動作が一時停止され、既に形成されている結束紙幣束は結束印字部５内で待機状態とされる。一方、必要な結束紙幣束の束数が保有束数以下のときは、結束印字部５内の結束紙幣束がその束数に達した時点で、全ての結束紙幣束が結束印字部５内で待機状態とされる。
【００６８】
その後、昇降ステージ２０上への収納紙幣束の集積が終了してから、結束出金動作が再開（結束紙幣束の集積が開始）される。そして、必要な束数の集積が終了するまで結束紙幣束の（昇降ステージ２０上の収納紙幣束の上への）集積が行われる。なお、出金すべき紙幣束Ｂ（収納紙幣束および結束紙幣束）が昇降ステージ２０上に全て集積されてから、シャッター１１が開いて束入出金口１０が開放される。
【００６９】
次に、本実施形態の紙幣処理装置における入金処理に関連した基本動作（制御）の内容について、図４を参照して説明する。
【００７０】
（１）収納紙幣束の入金動作
これは、束紙幣処理部Ｐ１において、束入出金口１０に投入された紙幣束Ｂを紙幣束収納部３に収納するための動作である。
【００７１】
具体的には、図４に示す束紙幣処理部Ｐ１において、まずシャッター１１１が開いて束入出金口１０を開放し、紙幣束Ｂが束入出金口１０に投入される。このとき、ステージ２０が出金位置ｈ２まで上昇している。このとき、搬送手段４の揺動待避部４ａが、搬送位置から待避位置へ揺動して昇降通路２内から待避している。また、必要に応じて昇降通路２の開閉板３４を開く。次に、紙幣束Ｂを搭載したステージ２０を降下させ、ステージ２０が昇降通路２の開閉板３４付近まで降下させ、揺動待避部４ａを待避位置から搬送位置へ戻す。ステージ２０は、ステージ２０に搭載された紙幣束Ｂの上面が搬送ベルト４４の下面に接するように位置づけられる。
【００７２】
そして、ステージ２０に搭載された紙幣束Ｂは、搬送手段４によって搬送路Ｃへ搬送されるとともに、識別部Ｄが紙幣束Ｂの金種を識別する。紙幣束Ｂは、その金種に従って束収納庫３ａ〜３ｃのいずれかに投入される。
【００７３】
（２）結束紙幣束の入金動作
これは、バラ紙幣処理部Ｐ２に収納されていたバラ紙幣の束Ｂ’を、束紙幣処理部Ｐ１において紙幣束Ｂ（結束紙幣束）として、束収納庫３ａ〜３ｃのいずれかに収納するための動作である。
【００７４】
具体的には、まずバラ紙幣処理部Ｐ２において、出金すべき紙幣束Ｂに対応する金種のバラ収納庫（通常は、５千円，２千円バラ収納庫）からバラ紙幣が、繰出し機構によって１枚ずつ繰り出され、出金搬送路に沿って搬送されて行く。出金識別部を通過したバラ紙幣は（出金リジェクト箱へ送られるものを除いて）スタッカに集積され、バラ紙幣の束Ｂ’として搬送ユニット６で束紙幣処理部Ｐ１へ搬送される。
【００７５】
図４に示す束紙幣処理部Ｐ１へ搬送されたバラ紙幣の束Ｂ’は、搬送ユニット６によって結束印字部５に送り込まれる。送り込まれたバラ紙幣の束Ｂ’は、結束手段５ａによって結束帯Ｗで結束され、紙幣束Ｂ（結束紙幣束）として搬送ベルト５８，５９で昇降通路２へ繰り出される。その間、結束帯Ｗには、プリンタ５ｂによる所定の印字等と行名スタンプ５ｃによる押印がなされると共に、必要に応じて損券スタンプ５ｄによる押印がなされる。
【００７６】
昇降通路２へ繰り出された紙幣束Ｂは、受取位置ｈ１で待機している昇降ステージ２０上（既に収納紙幣束が集積されている場合は、その上）に集積される。その後、上述の「収納紙幣束の入金動作」を実行することで、紙幣束Ｂが束収納庫３ａ〜３ｃのいずれかに収納される。
【００７７】
本実施の形態において、束入出金口１０に投入された束紙幣を束入出金口１０から紙幣束収納部３へ搬送する処理を含む処理を入金処理と称する。また、本実施の形態において、紙幣束収納部３内の紙幣を紙幣束収納部３から繰り出して束入出金口１０へ搬送する処理を含む処理を出金処理と称する。
【００７８】
図４を参照して紙幣処理部Ｐ１、Ｐ２について説明したが、硬貨処理部１１２、１１３の構成についても図４の構成から容易に類推できる。
【００７９】
図５は、貨幣管理装置２００の外観を示す斜視図である。図５に示すように、貨幣管理装置２００は、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、現金以外の有価証券類も投入することができる予備収納ドロア２１５と、を有している。
【００８０】
また、この貨幣管理装置２００は、貨幣管理装置２００の全体を制御する制御装置２２５（制御手段）と、制御装置２２５に各種の指示を与えるキーボード式操作部２２６と、使用者（営業員及び管理者）とのインタフェースとしての表示部２２７と、収納庫に貨幣を入出金する操作を行う使用者が所持するＩＤカードの内容を読み取るＩＤカードリーダ２２８と、を備えている。
【００８１】
ＩＤカードの内容、即ち、ＩＤカードに記憶されたＩＤ情報が、使用者情報の一態様であり、ＩＤカードリーダ２２８が、使用者情報取得手段の一態様である。図５の例では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００８２】
図６は、貨幣管理装置２００の第２紙幣収納ドロア２１２の斜視図である。図６に示すように、第２紙幣収納ドロア２１２には、３種類の金種の紙幣の束が、規則正しく収納保管される。図６の例では、第２紙幣収納ドロア２１２の内部に、４つの紙幣保管容器２２１〜２２４が配置されており、各容器ごとに、収納保管される紙幣の金種が決められている。また、１束１００枚の束紙幣を１０束ごとに束ねた大束紙幣が収納保管されるようになっていてもよい。
【００８３】
図７は、貨幣管理装置２００の第２硬貨収納ドロア２１４の斜視図である。図７に示すように、第２硬貨収納ドロア２１４には、３種類の金種の棒金状態の硬貨が、規則正しく収納保管される。図７の例では、第２硬貨収納ドロア２１４の内部に、３つの硬貨保管容器２４１〜２４３が配置されており、各容器ごとに、収納保管される硬貨の金種が決められている。
【００８４】
硬貨保管容器２４１の底面には、硬貨保管容器２４１内に収納保管される硬貨の重量を測定するための測定手段として、ロードセル２６１が設けられている。ロードセル２６１の構成の詳細については十分に知られていると思われるので、ここでの説明は省略する。
【００８５】
他の硬貨保管容器２４２、２４３、並びに、紙幣保管容器２２１〜２２４についても、同様にロードセル２６１が設けられている。このような構成によって、各金種ごとに、収納保管されている貨幣の重量が測定されるようになっている。
【００８６】
その他、図８は、予備収納庫（予備ドロア）２１５の斜視図である。図８に示すように、予備収納庫２１５には、硬貨予備収納部２５１及び紙幣予備収納部２５２の他に、現金以外の有価証券類を投入することができる空スペース２５３が設けられている。
【００８７】
続いて、図９は、貨幣管理装置２００の制御装置２２５の機能ブロック図である。制御装置２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄやハードディスクドライブ２２５ｇ内に格納されたプログラムを実行等して貨幣管理装置２００全体を制御する演算制御部２２５ｃ、を備えている。
【００８８】
演算制御部２２５ｃ（演算手段）は、各金種ごとに対応して設けられたロードセル２６１（重量測定手段）に接続されており、ロードセル２６１の出力値に基づいて、収納保管された貨幣の重量に対応する貨幣の金額を算出できるようになっている。そして、ハードディスクドライブ２２５ｇが、演算制御部２２５ｃ（記憶手段）によって算出された貨幣の金額を記憶するようになっている。
【００８９】
本実施の形態では、ここで、ＩＤカードリーダ２２８が読み取るＩＤ情報（使用者情報）も、算出された貨幣の金額（入出金操作後の収納保管金額）と対応させた態様で、ハードディスクドライブ２２５ｇに記憶されるようになっている。
【００９０】
本実施の形態では、更に、キーボード式操作部２２６（入力手段）において、収納庫に対して入出金される貨幣の金額が入力されるようになっており、演算制御部２２５ｃが、精査手段として、ロードセル２６１の出力値から算出された金額と、キーボード式操作部２２６で入力された金額と、を精査できるようになっている。
【００９１】
また、図９に示すように、貨幣管理装置２００は、出納機１００との間でデータ通信を行う通信インタフェース（通信ＩＦ）２２９を備えている。これにより、貨幣管理装置２００（貨幣管理端末機）と出納機１００（貨幣管理本体機）とは、相互に通信可能となっている。
【００９２】
また、本実施の形態の制御装置２２５は、ロック制御手段として、各ドロア２１１〜２１５に設けられた開閉電磁ロック２１１ｍ〜２１５ｍに接続されていて、各ドロア２１１〜２１５を、貨幣の入出金が可能な開状態と貨幣の入出金が不可能なロック状態との間で切替えることができるようになっている。
【００９３】
この切替制御の条件として、本実施の形態では、使用者照合が採用されている。具体的には、例えば、予め許可者として設定された使用者のＩＤ情報（使用者情報）が、ハードディスクドライブ２２５ｇに記憶されていて、ＩＤカードリーダ２２８（使用者情報取得手段）が読み取ったＩＤ情報が、使用者識別手段としての演算制御部２２５ｃによって、許可者のＩＤ情報に対して照合されるようになっている。照合の結果がＹＥＳである、即ち、ＩＤカードリーダ２２８が読み取ったＩＤ情報が、予め許可者として設定された使用者のＩＤ情報に合致する場合にのみ、制御装置２２５は、開閉電磁ロック２１１ｍ〜２１５ｍを制御して、貨幣の収納／取出が可能な開状態とすることができる。
【００９４】
別の切替制御の条件として、本実施の形態では、使用者照合に加えて、連携情報の照合も採用され得る。連携情報とは、例えば入出金操作ごとに設定される操作情報であり、通常は入出金の金種及び金額のデータであるが、入出金操作の手順に関するデータ（例えば、連携番号）を含むこともあり得る。連携情報の照合の具体的態様としては、例えば、予め許可操作として設定された連携情報が、出納機１００から通信機能を利用して例えばＲＡＭ２２５ｅに転送記憶され、一方、使用者によって、連携情報に対応する４桁の連携番号が、キーボード式操作部２２６（連携情報取得手段）で入力され得る。そして、入力された４桁の連携番号の情報が、操作識別手段としての演算制御部２２５ｃによって、転送記憶された連携情報内の連携番号に対して照合され得る。この場合、照合の結果がＹＥＳである、即ち、入力された４桁の連携番号が、転送記憶された許可操作の連携情報内の連携番号に合致する場合にのみ、制御装置２２５は、開閉電磁ロック２１１ｍ〜２１５ｍを制御して、貨幣の入出金が可能な開状態とすることができる。このように、連携番号は、出納機１００と貨幣管理装置２００との間の貨幣の入出金処理において、出納機１００と貨幣管理装置２００との連携を図るために用いられる連携認証情報である。連携番号は、貨幣の入出金処理ごとに生成され、出納機１００と貨幣管理装置２００との間の貨幣の移動処理を特定又は認証するために用いられる。連携認証情報は、必ずしも番号である必要は無く、特定の文字または記号であってもよい。
【００９５】
尚、この態様においては、好適なことに、入出金操作の具体的内容に即して、開閉電磁ロック２１１ｍ〜２１５ｍを個別に制御することが可能である。具体的には、入出金対象である金種を収納するドロアのみを、開状態に切り替えることができる。更には、複数のドロアが同時には開状態にならないように、各ドロアを順に開状態に切り換えるという制御態様を採用することも可能である。
【００９６】
一方、入出金操作ごとに連携番号の入力を必須とした場合、出納機１００と貨幣管理装置２００との間の入出金処理は、セキュリティ上および複数の処理の重複を回避するために好ましいと言える。しかし、出納機１００と貨幣管理装置２００とが互いに接近して配置されている場合には、出納機１００と貨幣管理装置２００との間の現金の移動は、通常、即座に実行される。例えば、操作者は、出納機１００から貨幣を取り出し、その後直に、貨幣管理装置２００へその貨幣を入れる。このため、連携番号の入力を省略してもセキュリティ上さほど問題にならず、かつ、複数の処理が重複することもない。むしろ、入出金操作ごとに毎回連携番号の入力をしなければならないとすれば、操作者にとって煩雑であり、操作性を損ねる可能性がある。
【００９７】
従って、本実施形態による出納機１００は、出納機１００と貨幣管理装置２００とが互いに接近して配置されているような場合に連携番号の入力を省略できるように、連携番号の入力の要否を選択可能とする。操作者は、連携番号の要否のいずれかをキーボード式操作部１６において選択することができる。
【００９８】
その他、本実施の形態では、貨幣管理装置２００（貨幣管理端末機）と出納機１００（貨幣管理本体機）とが相互に通信可能であることを利用して、更に以下のような構成が採用されている。
【００９９】
出納機１００（貨幣管理本体機）の制御部１５は、通信機能を利用して貨幣管理装置２００（貨幣管理端末機）の在高データを確認及び／又は精査するための在高データ遠隔確認部として機能できるように構成されている。具体的には、出納機１００（貨幣管理本体機）の制御部１５が、通信インタフェース（通信ＩＦ）１９及び通信インタフェース（通信ＩＦ）２２９を介して、精査手段である演算制御部２２５ｃを制御できるようになっている。
【０１００】
その他、各ドロア２１１〜２１５の開状態が所定時間以上継続している際に報知信号を出力する報知装置（アラーム装置）２８０が更に設けられている。例えば、操作者が貨幣管理装置２００から貨幣を取り出すためにドロア２１１〜２１５のいずれかを開状態にした後、その開状態が所定時間以上継続した場合、報知装置２８０が動作する。報知装置２８０を停止するためには、管理者が報知装置２８０のアラームを停止する必要がある。連携番号の入力が不要であると設定されている場合であっても、報知装置２８０は、同様に動作することが好ましい。
【０１０１】
また、図９における鍵検知部２９０とは、貨幣管理装置２００の電源ｏｆｆ時にドロアの開閉が行われる際に、そのことを検知するセンサ装置である。これは、少なくとも当該技術分野においては新しい技術であるが、本発明の概念とは直接には関連しないので、ここでの説明は省略する。
【０１０２】
また、貨幣管理装置２００と出納機１００との連携の動作において、出納機１００に貨幣を入金している際に収納庫がフルになった場合、入金処理の途中であっても処理を中断し、収納庫の貨幣を貨幣管理装置２００に移すことができ、移し終えたら入金処理を再開することができる。また、出納機１００から貨幣を出金している際に収納庫がエンプティになった場合、出金処理の途中であっても処理を中断し、貨幣管理装置２００に保管してある貨幣を出納機１００に装填し、装填が終了したら出金処理を再開することができる。
【０１０３】
上述のように、入出金処理の途中に貨幣管理装置２００と出納機１００との間で貨幣を移動させる場合、移動させる貨幣の金種と枚数、及び金額を互いの装置の間でデータを送受信し、正しく貨幣が移されたかどうかを確認するようにする。
【０１０４】
次に、以上に説明した貨幣処理システムの動作例について、フローチャートを参照しながら説明する。
【０１０５】
図１０は、出納機１００の側での入出金操作準備プロセスの一例のフローチャートである。まず、ＩＤカードリーダ１５ｂによって、出納機１００の操作者のＩＤ情報が読み取られる（ＳＴＥＰ１１）。当該ＩＤ情報に基づいて、その操作者が、出納機１００の操作許可者であるか否かが識別される（ＳＴＥＰ１２）。
【０１０６】
操作許可者であれば、出納機１００の操作メニューが表示部１５ａに表示される（ＳＴＥＰ１３）。その表示を見ながら、操作者（操作許可者）は、キーボード式操作部１６を用いて処理内容を入力する（ＳＴＥＰ１４）。ここで、表示部１５ａは、処理メニューとして貨幣管理装置２００への連携番号の入力の要否についても表示してよい。そして、操作者は、キーボード式操作部１６を用いて連携番号の入力の要否を選択するとともに、取出／収納を選択する。
【０１０７】
次に、表示部１５ａは、取引先メニューを表示する（ＳＴＥＰ１４−１）。その表示を見ながら、操作者は、キーボード式操作部１６を用いて取引先を選択する（ＳＴＥＰ１４−２）。本実施形態では、貨幣管理装置２００が出納機１００に接続されているか否かに応じて、出納機１００の表示部１５ａは、異なる取引先メニューを表示する。取引先メニューについては、後述する（図２２（Ｄ）参照）。
【０１０８】
その後、本例では、セキュリティの一層の向上のために、暗証番号入力を求める（ＳＴＥＰ１５）。
【０１０９】
暗証番号の照合の後、操作者（操作許可者）は、キーボード式操作部１６を用いて、入出金操作の詳細を入力する（ＳＴＥＰ１６）。具体的には、入出金対象の金種及び束数あるいは本数のデータが入力される。その後、操作者による入力完了キーの操作によって、入力完了が検知される（ＳＴＥＰ１７）。出納機１００の制御部１５ｃは、入力された入出金操作の詳細および連携番号を含む連携情報（処理キュー）を作成する。制御部１５ｃは、その入出金処理に対応した連携番号を生成し、該連携番号を入出金操作の詳細な内容と対応付けて連携情報としてハードディスク１５ｇに記憶する。出納機１００において生成された連携番号は、貨幣の移動処理を特定又は認証するために用いられる第１の連携認証情報として記憶される。その入出金操作が貨幣管理装置２００における入出金操作を含むものである場合には、操作者が貨幣管理装置２００の操作権限を有するものであれば、通信回線を介してオープン要求（後述）を送信する。これにより、貨幣管理装置２００は、操作入力画面を連携番号入力画面までスキップさせることができる。尚、ここでは、連携情報は、貨幣管理装置２００にはまだ送信されていない（ＳＴＥＰ１８）。
【０１１０】
貨幣管理装置２００における連携番号の入力が必要であると選択された場合（ＳＴＥＰ１８−１のＹＥＳ）、レシート発行装置１８により、レシート又は取引伝票に当該連携番号を含む認証印字を行ってレシート又は取引伝票を発行する（ＳＴＥＰ１９）。これにより、操作者は、貨幣管理装置２００においてレシートに記載された連携番号を入力することができる。貨幣管理装置２００において入力された連携番号は、貨幣の移動処理を特定又は認証するために第１の連携認証情報と比較される第２の連携認証情報として用いられる。操作者が、レシートに記載された連携番号を正確に入力すれば、第２の連携認証情報は、第１の連携認証情報と一致するはずである。これにより、出納機１００および貨幣管理装置２００は、複数の処理から所望の処理を特定又は認証することができる。
【０１１１】
一方、貨幣管理装置２００における連携番号の入力が不要であると選択された場合（ＳＴＥＰ１８−１のＮＯ）、上記レシート又は取引伝票を発行しない。つまり、出納機１００は、連携情報を生成し、連携情報をハードディスク１５ｇに格納するが、印字はしない。そして、出納機１００は、貨幣管理装置２００からの要求信号を受け取ることなしに、通信ＩＦ２２９を介して処理キューを貨幣管理装置２００へ送信する（ＳＴＥＰ１８−２）。尚、連携番号は、通番とは異なり、ランダムに生成される数字、記号または文字である。よって、複数の処理が重複しても、連携番号は、重複せず、かつ、類似しない。
【０１１２】
尚、連携番号の入力の要否は、連携番号の生成（ＳＴＥＰ１８）までに選択されればよい。従って、連携番号の入力の要否は、入出金処理ごとに選択してもよいが、出納機１００および貨幣管理装置２００の設置時に選択してもよい。例えば、出納機１００および貨幣管理装置２００の設置時に、連携番号の入力が不要であることを選択することによって、その後の総ての処理において、連携番号の入力は不要となる。これにより、操作者は、処理ごとに連携番号の入力の要否を選択する必要が無くなり、さらに、貨幣管理システムの操作性が向上する。
【０１１３】
図１１は、貨幣管理装置２００における入出金操作準備プロセスの一例のフローチャートである。まず、貨幣管理装置２００は、処理キューを既に受信しているか否かを判断する（ＳＴＥＰ２０）。図１０のＳＴＥＰ１４において連携番号の入力が必要であると選択された場合、出納機１００はＳＴＥＰ１８−２を実行していない。従って、貨幣管理装置２００は、この時点で処理キューを受け取っていない（ＳＴＥＰ２０のＮＯ）。この場合、ＩＤカードリーダ２２８によって、貨幣管理装置２００の操作者のＩＤ情報が読み取られる（ＳＴＥＰ２１）。当該ＩＤ情報に基づいて、その操作者が、貨幣管理装置２００の操作許可者であるか否かが識別される（ＳＴＥＰ２２）。
【０１１４】
操作許可者であれば、貨幣管理装置２００の操作メニューが表示部２２７に表示される（ＳＴＥＰ２３）。その表示を見ながら、操作者（操作許可者）は、キーボード式操作部２２６から処理内容を入力する（ＳＴＥＰ２４）。
【０１１５】
まず、出納機１００との連携処理が選択される場合について先に説明する。
【０１１６】
連携処理が選択されると、本例では、セキュリティの一層の向上のために、暗証番号入力を求める（ＳＴＥＰ２５）。
【０１１７】
暗証番号の照合の後、操作者（操作許可者）は、キーボード式操作部２２６から出納機１００にて発行された連携番号を入力する（ＳＴＥＰ２６）。
【０１１８】
尚、連携番号は、出納機１００において操作者のＩＤ情報が識別され且つ暗証番号が入力された結果として発行されたものであるので、他の実施の形態として、出納機１００の操作者が貨幣管理装置２００の操作権限も有する者である場合には、ここで連携番号の入力のみを要求し、ＩＤ情報及び暗証番号の上記入力要求は省略するようにできる。
【０１１９】
第２の連携認証情報としての連携番号の入力に応じて、貨幣管理装置２００は、出納機１００に問い合わせを行う。
【０１２０】
出納機１００は、当該連携番号（第２の連携認証情報）を用いて、ハードディスク１５ｇに格納された連携情報を検索し、当該連携番号（第２の連携認証情報）に対応する連携情報（取出／収納操作対象である金種乃至金額のデータの他、ドロアの開閉手順のデータが含まれ得る）をピックアップして貨幣管理装置２００に送信する（ＳＴＥＰ２７）。つまり、出納機１００の制御部１５ｃは、第２の連携認証情報と第１の連携認証情報とを比較し、第１の連携認証情報と第２の連携認証情報とが一致した場合に、連携情報を貨幣管理装置に送信する。貨幣管理装置２００は、その一部又は全部の情報を操作者の確認のために表示する（ＳＴＥＰ２８）。確認の後、操作者による入力完了キーの操作によって、取出／収納準備完了が検知される（ＳＴＥＰ２９）。尚、さらに操作性を向上させるために、ＳＴＥＰ２９は省略しても構わない。
【０１２１】
その後、連携情報に含まれる取出／収納操作の詳細に基づいて貨幣の収納処理又は取出処理が行われ（ＳＴＥＰ３０）、キーボード式操作部２２６から当該処理が完了した旨の入力が行われると、当該連携情報が更新されてハードディスク２２５ｇに更新記憶される（ＳＴＥＰ３１）。それとともに通信回線を介して当該連携情報が出納機１００にも送信され、出納機１００における当該連携情報が処理済として更新される。
【０１２２】
一方、図１０のＳＴＥＰ１４において連携番号の入力が不要であると選択された場合、出納機１００は、図１０のＳＴＥＰ１８−２において処理キューを送信している。従って、貨幣管理装置２００は、既に処理キューを受け取っている（ＳＴＥＰ２０のＹＥＳ）ので、ＳＴＥＰ２１〜ＳＴＥＰ２６を省略し、ＳＴＥＰ２７から処理を開始することができる。この場合、操作者は出納機１００の操作の直後に貨幣管理装置２００の操作をすることが推測されるので、セキュリティ上の問題および複数の連携処理が重複する問題は生じ難い。従って、出納機１００と貨幣管理装置２００との連携処理における入力事項を簡便にして、操作性を重視することが好ましい。尚、このとき、ＳＴＥＰ２４における処理メニュー選択は不要である。なぜなら、貨幣管理装置２００は、連携情報（処理キュー）によってその連携処理の内容を知ることができるからである。
【０１２３】
勿論、貨幣管理装置２００は、ＳＴＥＰ２１〜ＳＴＥＰ２５までを実行し、ＳＴＥＰ２６のみスキップしてもよい。
【０１２４】
その後、貨幣管理装置２００は、ＳＴＥＰ２８〜ＳＴＥＰ３１を実行してもよい。しかし、操作性をさらに向上させるために、貨幣管理装置２００は、ＳＴＥＰ２９をさらにスキップしてもよい。これにより、出納機１００での操作が完了した後、操作者は、直ちに貨幣管理装置２００において収納処理又は取出処理を実行することができる。つまり、出納機１００での操作が完了した時点で、貨幣管理装置２００のドロア２１１〜２１５のうち所定のドロアが自動的に開き、操作者は、貨幣の収納処理又は取出処理をすぐに実行することができる。
【０１２５】
本実施形態では、連携番号の入力が不要であると選択されている場合であっても、操作者が特定の操作者である場合は、出納機１００は、連携情報をレシートに印字し、貨幣管理装置２００は、連携番号の入力を要求してもよい。例えば、図１７に示すテラーのような下位権限者が操作者である場合、セキュリティを強化するために、連携番号の入力の要否の選択に関わらず、出納機１００は、連携番号の入力が必要とであると判断する。この場合、出納機１００は、連携情報を印字したレシートを発行し（図１０のＳＴＥＰ１９）、貨幣管理装置２００は、図１１のＳＴＥＰ２１〜ＳＴＥＰ２６を実行する。
【０１２６】
出納機１００は、予めテラーや出納担当者のＩＤ情報を記憶しており、図１０のＳＴＥＰ１１のＩＤ情報の取得時点で操作者を特定することができる。それにより、出納機１００は、操作者が下位権限者であるか、または、上位権限者であるかを認識することができる。
【０１２７】
操作者が下位権限者である場合には、出納機１００は、出納機１００で生成された連携番号（第１の連携認証情報）と貨幣管理装置２００で入力された連携番号（第２の連携認証情報）とを比較する。これらの連携番号が一致した場合に、出納機１００の送受信部は、連携情報を貨幣管理装置２００に送信する。
【０１２８】
操作者が出納担当者である場合には、連携番号の入力の要否の選択に従って処理を実行する。即ち、連携番号の入力が不要であると選択されている場合、連携情報を印字したレシートの発行や連携番号の入力を省略する。
【０１２９】
これにより、連携番号の入力の要否は、操作者の選択だけに依存せず、操作者の権限をも考慮して決定され得る。その結果、本実施形態は、操作性の向上だけでなく、セキュリティの向上を加味した運用を行うことができる。
【０１３０】
さらに、本実施形態では、連携番号の入力が不要であると選択されている場合であっても、処理される貨幣の金額が所定金額を超える場合には、出納機１００は、連携情報をレシートに印字し、貨幣管理装置２００は、連携番号の入力を要求してもよい。例えば、出納機１００は、ハードディスク１５ｇに所定金額（例えば、１０００万円）を格納しておき、図１０のＳＴＥＰ１６において入力された金額が所定金額を超えるか否かを判定する。入力された金額が所定金額を超える場合、セキュリティを強化するために、連携番号の入力の要否の選択に関わらず、出納機１００は、連携番号の入力が必要とであると判断する。この場合、出納機１００は、連携情報を印字したレシートを発行し（図１０のＳＴＥＰ１９）、貨幣管理装置２００は、図１１のＳＴＥＰ２１〜ＳＴＥＰ２６を実行する。この場合には、出納機１００は、出納機１００で生成された連携番号（第１の連携認証情報）と貨幣管理装置２００で入力された連携番号（第２の連携認証情報）とを比較する。これらの連携番号が一致した場合に、出納機１００の送受信部は、連携情報を貨幣管理装置２００に送信する。
【０１３１】
処理される金額が所定金額以下である場合には、連携番号の入力の要否の選択に従って処理を実行する。即ち、連携番号の入力が不要であると選択されている場合、連携情報を印字したレシートの発行や連携番号の入力を省略する。
【０１３２】
これにより、連携番号の入力の要否は、操作者の選択だけに依存せず、処理される貨幣の金額をも考慮して決定され得る。その結果、本実施形態は、操作性の向上だけでなく、セキュリティの向上を加味した運用を行うことができる。
【０１３３】
操作者の権限（ＩＤ情報）に従った連携番号の入力の要否判断は、処理される貨幣の金額に従った連携番号の入力の要否判断と組み合わせてもよい。例えば、操作者が上位権限者である場合および／または処理される貨幣の金額が所定金額以下である場合に限り、連携番号の入力は省略可能であるとしてよい。
【０１３４】
連携番号の入力が不要であると選択された場合、操作者は出納機１００の操作の直後に貨幣管理装置２００の操作をすることが推測される。しかし、実際には、操作者は、出納機１００の操作の後すぐに貨幣管理装置２００を操作できない場合もある。あるいは、貨幣管理装置２００に対する貨幣の移動処理が適正に行われること無く、ドロアが閉じられてしまう場合もある。これらの場合、貨幣の移動処理が完了していないため、貨幣管理システムにおける他の処理が停滞し、あるいは、重複する可能性がある。従って、連携番号の入力が不要であると選択された場合であっても、貨幣管理装置２００の操作は、出納機１００の操作後、所定時間以内（例えば、３０秒以内）に制限する必要がある。この所定時間は、出納機１００のハードディスク１５ｇに予め格納されている。例えば、所定期間は、連携情報の生成時点を起点として制御部１５ｃにて計時される。また、貨幣管理装置２００のドロアが閉じたとき、クローズ信号が貨幣管理装置２００から出納機１００へ送信される。
【０１３５】
もし、出納機１００の操作後、所定時間が経過した場合、あるいは、出納機１００の操作後、貨幣の処理がされずに貨幣管理装置２００のドロアが閉じた場合、出納機１００は、連携情報を印字したレシートを発行し、貨幣管理装置２００は、連携番号の入力を要求してもよい。即ち、貨幣管理システムは、連携番号の入力が必要であると選択された場合と同様の動作（ＳＴＥＰ１９、ＳＴＥＰ２１〜ＳＴＥＰ２６）を実行してもよい。これにより、複数の処理が重複しても、操作者は、後で貨幣管理装置２００に連携番号を入力することによってその処理を続行することができる。このように、操作者は、出納機１００の操作後、時間をあけて貨幣管理装置２００の操作をすることができる。従って、貨幣管理システムの操作性およびセキュリティをさらに向上させることができる。
【０１３６】
もし、出納機１００の操作後、所定時間が経過した場合、あるいは、出納機１００の操作後、貨幣の処理がされずに貨幣管理装置２００のドロアが閉じた場合、上述のように報知装置２８０が作動してもよい。この場合、貨幣管理装置２００のドロアのロックが再度施錠される。報知装置２８０は、管理者が停止する必要がある。
【０１３７】
さらに、出納機１００の操作後、所定時間が経過した場合、あるいは、出納機１００の操作後、貨幣の処理がされずに貨幣管理装置２００のドロアが閉じた場合、出納機１００は、連携情報の印字または貨幣の移動処理の変更を選択可能にしてもよい。例えば、出納機１００は、連携情報の印字または貨幣の移動先の変更を選択できるように表示部１５ａに表示する。
【０１３８】
操作者が連携情報の印字を選択した場合、出納機１００は、連携情報を印字したレシートを発行する。操作者は、貨幣管理装置２００においてレシートに印字された連携番号を入力する。出納機１００が生成した連携番号（第１の連携認証情報）と操作者が入力した連携番号（第２の連携認証情報）とが一致する場合には、中断された貨幣の処理が続行される。
【０１３９】
操作者が貨幣の移動先の変更を選択した場合、出納機１００は、貨幣の移動先のメニューを表示する。移動先のメニューは、貨幣管理装置２００以外の手持ち、本金庫等でよい。操作者は、貨幣の移動先をメニューから選択し、貨幣を処理する。この操作は、貨幣の移動先が変更になった場合、あるいは、貨幣の移動先を間違えた場合（処理選択を間違えた場合）に利用され得る。
【０１４０】
次に、貨幣管理装置２００での単体処理、即ち、出納機１００から予め受信する連携情報に基づかないローカル処理が選択される場合について説明する。
【０１４１】
単体処理が選択されると、本例では、セキュリティの一層の向上のために、暗証番号入力を求める（ＳＴＥＰ１２５）。貨幣管理装置２００の単体処理は、出納機１００から予め受信する連携情報に基づかない処理であって、当該処理に対応する連携情報が未作成の処理である。従って、出納機１００から受信した連携情報に基づく連携処理の場合と異なり、ＩＤ情報及び暗証番号の入力要求は省略することができない。
【０１４２】
暗証番号の照合の後、操作者（操作許可者）は、キーボード式操作部２２６から、取出／収納操作の詳細を入力する（ＳＴＥＰ１２６）。具体的には、取出／収納対象の金種及び束数あるいは本数のデータが入力される。その後、操作者による入力完了キーの操作によって、入力完了が検知される（ＳＴＥＰ１２７）。
【０１４３】
貨幣管理装置２００は、入力された取出／収納操作の詳細を含む処理情報としてのローカル処理情報（ローカル処理キューとも呼ばれる）を作成し、そのローカル処理情報に対して、ローカル処理情報の一部としてのローカル処理番号を発行し、当該ローカル処理番号と実際の取出／収納操作の詳細な内容との対応付けを含むローカル処理情報をハードディスク２２５ｇに記憶するとともに、通信回線を介して当該ローカル処理情報を出納機１００に送信する。この時に通信回線が切断された状態であった場合は、貨幣管理装置２００に当該ローカル処理情報を保持しておき、その後、通信回線が接続されたときに出納機１００に送信する。貨幣管理装置２００での単体処理に関するローカル処理情報の送信前には、出納機１００は、当該単体処理に関する情報を何も持っていない状態であるので、単体処理に関するローカル処理情報は例外なく総て出納機１００に送信する。
【０１４４】
その後、ローカル処理情報に含まれる取出／収納操作の詳細に基づいて貨幣の収納処理又は取出処理が行われ（ＳＴＥＰ１２８）、キーボード式操作部２２６から、当該処理が完了した旨の入力が行われると、当該ローカル処理情報が更新されてハードディスク２２５ｇに更新記憶されるとともに（ＳＴＥＰ１２９）、通信回線を介して当該ローカル処理情報が出納機１００にも送信され、出納機１００における当該ローカル処理情報が更新される。上記同様、この時に通信回線が切断された状態であった場合は、貨幣管理装置２００に当該ローカル処理情報を保持しておき、その後、通信回線が接続されたときに出納機１００に送信する。尚、当該ローカル処理情報の作成時に当該ローカル処理情報を出納機１００に送信できず未送信であった場合には、取出／収納操作の完了後に更新済みの当該ローカル処理情報のみを送信するようにしてもよい。
【０１４５】
図１２は、出納機１００への入金中に収納庫のいずれかがフルになった場合の割込み回収処理の動作を示すフロー図である。本実施形態では、出納機１００に貨幣を入金している際に収納庫（例えば、図４の３ａ〜３ｅ）のいずれかがフルになった場合、入金処理の途中であっても処理を中断し、フルになった収納庫の貨幣を貨幣管理装置２００（あるいは手持ち）に移す。その収納庫の貨幣を貨幣管理装置２００（あるいは手持ち）に移し終えた後に入金処理を再開する。手持ちとは、操作者（例えば、行員）が手元において管理する貨幣である。手持ちの貨幣は、貨幣管理装置２００に収納されている貨幣とともに手持ち在高として出納機１００内において管理されている（図１２参照）。
【０１４６】
まず、出納機１００において、入金処理中に収納庫のいずれかにおいてフル（満杯状態）が発生する（ＳＴＥＰ１００）。例えば、図４のフル検出部３９が昇降ステージ３０を検知したときに、出納機１００は、フルが発生したことを認識する。出納機１００は、表示部１５ａに「１．キャンセル」または「２．割込み回収」を表示させる（ＳＴＥＰ１１０）。「１．キャンセル」は、その時点で行っている入金処理自体を中止する処理である。「２．割込み回収」は、入金処理を中断して、貨幣を出納機１００の収納庫から貨幣管理装置２００または手持ちへ回収する処理である。操作者は、「１．キャンセル」または「２．割込み回収」のいずれかを選択する。ただし、その入金処理で入金された貨幣の一部が既に収納庫３へ収納させている場合、操作者が「１．キャンセル」を選択すると、一旦その入金処理は中断する。その後、操作者が再度同じＩＤでログインし、且つ同じ処理を選択した場合には、引き続き処理を継続することになる。
【０１４７】
ＳＴＥＰ１１０において、操作者が「２．割込み回収」を選択すると、次に、出納機１００は、表示部１５ａに割込み回収カセットの選択画面を表示させる（ＳＴＥＰ１２０）。割込み回収カセットは、例えば、収納庫３の束収納庫３ａ〜３ｅのうち、貨幣回収の対象となる束収納庫である。このとき、表示部１５ａには、各束収納庫の収納状態が表示され、操作者は、フルになった束収納庫だけでなく、各束収納庫の貨幣量を確認することができる。操作者は、収納庫のうち貨幣を回収する収納庫を選択する。このとき、操作者は、フルになった収納庫だけでなく、フルに近い収納庫をも選択してよい。
【０１４８】
次に、出納機１００の表示部１５ａは、取引先メニューを表示する。操作者は、貨幣の回収先となる取引先を取引先メニューから選択する（ＳＴＥＰ１３０）。このとき、貨幣管理装置２００が出納機１００に接続されている場合には、貨幣管理装置２００が取引先メニューに含まれている。この場合の取引先メニューの具体例は、図２２（Ｄ）または図３３（Ａ）に示す。
【０１４９】
貨幣管理装置２００が出納機１００に接続されていない場合には、貨幣管理装置２００が取引先メニューに含まれていない。この場合の取引先メニューの具体例は、図２３または図３３（Ｂ）に示す。
【０１５０】
操作者が取引先として貨幣管理装置２００を選択すると、出納機１００は、貨幣管理装置２００への連携番号の入力を必要とするか否かの選択画面を表示部１５ａに表示させる（ＳＴＥＰ１３５）。尚、ＳＴＥＰ１３０の選択画面とＳＴＥＰ１３５の選択画面は、同時に表示部１５ａに表示させてもよい。
【０１５１】
操作者が貨幣管理装置２００への連携番号の入力を必要であると選択した場合（ＳＴＥＰ１３５のＹＥＳ）、貨幣管理装置２００への回収処理が実行される（ＳＴＥＰ１４０）。より詳細には、出納機１００は、例えば、束放出口１１３または束入出金口１０から束紙幣Ｂを投出するとともに、連携処理の認証のために用いられる連携番号（第１の連携認証情報）が記載された認証伝票（レシート）を発行する。レシートは、例えば、第１の連携認証情報としての連携番号等が印字された紙でよい。レシートに記載されている内容は、図１３を参照して後述する処理キューと同じ情報が記載されている。
【０１５２】
投出される貨幣の束数／本数は、操作者が指定してもよく、あるいは、出納機１００の制御部１５ｃにおいて演算してもよい。
【０１５３】
操作者が回収される貨幣の束数／本数を指定する場合、ＳＴＥＰ１４０において、出納機１００は、貨幣の束数／本数の入力画面を表示部１５ａに表示させる。操作者は、入金額に応じて、投出させる貨幣の束数／本数を入力する。出納機１００は、ＳＴＥＰ１２０において選択された収納庫の貨幣を、入力された束数／本数だけ投出する。この場合、操作者は、出納機１００への入金処理における入金額に応じて、回収する貨幣の束数／本数を増減させることができる。
【０１５４】
回収される貨幣の束数／本数を制御部１５ｃにおいて演算する場合、制御部１５ｃは、ＳＴＥＰ１２０において選択された収納庫に収納されている貨幣の束数／本数に基づいて、回収される束数／本数を演算する。例えば、制御部１５ｃは、選択された束収納庫に収納されている束紙幣Ｂの束数の２分の１を回収束数とする。この場合、操作者による束数／本数の入力を省略することができる。勿論、演算された束数／本数は操作者によって増減可能にしてもよい。
【０１５５】
次に、出納機１００は、回収処理キューを作成する（ＳＴＥＰ１５０）。処理情報作成手段としての制御部１５ｃは、貨幣の連携情報としての回収処理キューを作成する。
【０１５６】
図１３は、回収処理キュー（連携情報）を示す概念図である。回収処理キューは、実際に投出された貨幣の束数／本数を金種ごとに示した情報である。ここで、「処理名称」は、「回収（出納機→貨幣管理装置）」となっており、出納機１００から貨幣管理装置２００への回収処理に関する処理キューであることが分かる。連携番号は、回収処理ごとあるいは装填処理ごとに付される番号であり、連携処理の認証に用いられる番号である。
【０１５７】
異なる処理には必ず異なる連携番号が付されている。また、図１３の回収処理キューでは、回収される束紙幣Ｂの束数および金額を金種ごとに示している。ただし、金額については、回収される金種および束数／本数から簡単に算出されるものであるので、表示を省略してもよい。また、図１３の回収処理キューでは、束紙幣のみについて表示しているが、包装貨幣についても同様に表示してよい。例えば、包装貨幣処理部１３から包装貨幣を回収する場合には、制御部１５ｃは、回収される包装貨幣の金種および本数を回収処理キューに表示する。回収処理キューの情報は、ＲＯＭ１５ｄまたはＲＡＭ１５ｅに格納される。
【０１５８】
図１２を再度参照する。操作者は、出納機１００から発行されたレシートを持って、貨幣管理装置２００において入金の手続を行う。操作者は、まず、貨幣管理装置２００にＩＤ情報を入力し、ログインする（ＳＴＥＰ２００）。ＩＤ情報は、例えば、操作者を識別する個人ＩＤおよびパスワード等を含む。さらに、操作者は、レシートに記載された連携番号を入力する（ＳＴＥＰ２００）。
【０１５９】
貨幣管理装置２００は、処理キューを要求する要求信号を出納機１００に送信する（ＳＴＥＰ２１０）。要求信号は、上記ＩＤ情報および連携番号（第２の連携認証情報）を含む。出納機１００が要求信号を受け取ると、制御部１５ｃは、ＲＯＭ１５ｄまたはＲＡＭ１５ｅに格納されている回収処理キューのＩＤ情報と要求信号に含まれるＩＤ情報とを比較する。また、制御部１５ｃは、ＲＯＭ１５ｄまたはＲＡＭ１５ｅに格納されている回収処理キューの連携番号（第１の連携認証情報）と要求信号に含まれる連携番号（第２の連携認証情報）とを比較する。
【０１６０】
回収処理キューのＩＤ情報と要求信号に含まれるＩＤ情報とが一致し、回収処理キューの連携番号（第１の連携認証情報）と要求信号に含まれる連携番号（第２の連携認証情報）とが一致する場合（ＳＴＥＰ１６０のＹＥＳ）、出納機１００は、その回収処理キューを貨幣管理装置２００へ送信する（ＳＴＥＰ１６２）。もし、ＩＤ情報または連携番号のいずれかが一致しない場合（ＳＴＥＰ１６０のＮＯ）、出納機１００は、ＩＤ情報または連携番号が一致しないことを示すエラー信号を貨幣管理装置２００へ送信する（ＳＴＥＰ１６４）。このように、ＩＤ情報を検証することによって、出納機１００は、出納機１００から貨幣を回収した操作者と貨幣管理装置２００へ貨幣を収納する操作者とが同一人物であるか否かを確認することができる。また、連携番号を検証することによって、複数の処理キューがＲＯＭ１５ｄまたはＲＡＭ１５ｅに格納されている場合であっても、出納機１００は、必要な処理キューを検索して貨幣管理装置２００へ送ることができる。
【０１６１】
貨幣管理装置２００は、エラー信号を受け取ると、貨幣管理装置２００は、回収処理キューのＩＤ情報と要求信号に含まれるＩＤ情報とが一致しない旨、あるいは、回収処理キューの連携番号（第１の連携認証情報）と要求信号に含まれる連携番号（第２の連携認証情報）とが一致しない旨を操作者に通知する。さらに、貨幣管理装置２００は、「１．キャンセル」および「２．ＩＤ情報、連携番号の入力」を表示部２２７に表示させる（ＳＴＥＰ２２０）。「１．キャンセル」は、その時点で行っている割込み回収処理を中止する処理である。「１．キャンセル」を選択した場合、ＳＴＥＰ１１０に戻る。ＳＴＥＰ１１０において、操作者は、その時点で行っている入金処理自体を中止し、あるいは、割込み回収処理を最初から再度実行することができる。
【０１６２】
ＳＴＥＰ２２０の「２．ＩＤ情報、連携番号の入力」は、ＩＤ情報および／または連携番号を再度入力する処理である。操作者がＩＤ情報および／または連携番号を間違って入力したおそれのある場合、操作者は、「２．ＩＤ情報、連携番号の入力」を選択し、ＩＤ情報および／または連携番号を再入力してＳＴＥＰ２１０からやり直すことができる。貨幣管理装置２００がエラー信号を受け取った場合には、貨幣管理装置２００は、収納ドロア２１１〜２１４を開けない。
【０１６３】
一方、回収処理キューのＩＤ情報と要求信号に含まれるＩＤ情報とが一致し、かつ、回収処理キューの連携番号（第１の連携認証情報）と要求信号に含まれる連携番号（第２の連携認証情報）とが一致する場合（ＳＴＥＰ１６０のＹＥＳ）、出納機１００は処理キューを送信する（ＳＴＥＰ１６２）。そして、貨幣管理装置２００は、回収処理キューを取得する（ＳＴＥＰ２３０）。このとき、貨幣管理装置２００は、操作者に回収処理キューを取得した旨を通知する。また、貨幣管理装置２００は、回収処理キューの取得をトリガーとして収納ドロア２１１〜２１４を自動で開いてもよい。操作者は、出納機１００において回収した貨幣を収納ドロア２１１〜２１４のいずれかに収納する（ＳＴＥＰ２４０）。
【０１６４】
尚、上記の実施形態では、操作者は、ＩＤ情報および連携番号の両方を貨幣管理装置２００に入力し、出納機１００は、ＩＤ情報および連携番号の両方を用いて処理キュー送信の検証を行った。しかし、出納機１００は、連携番号またはＩＤ情報のいずれか一方のみで処理キュー送信の検証を行ってもよい。ただし、より高度のセキュリティを担保したい場合には、出納機１００は、ＩＤ情報および連携番号の両方を用いて処理キュー送信の検証を行うことが好ましい。
【０１６５】
貨幣を収納ドロア２１１〜２１４のいずれかに収納後、操作者が収納ドロア２１１〜２１４を閉めると、貨幣管理装置２００は、収納された貨幣の金種および束数／本数と回収処理キューに含まれる金種および束数／本数の情報とが一致するか否かを検証する。より詳細には、貨幣管理装置２００は、収納ドロア２１１〜２１４が閉じられたことをトリガーとして自動精査を開始する。自動精査では、各金種の重量測定を行って、金種ごとの束紙幣の束数、棒金の本数を算出し、回収処理キューの情報と比較する。
【０１６６】
もし、収納した貨幣の金種および束数／本数が回収処理キューに示された貨幣の金種および束数／本数と一致しない場合、貨幣管理装置２００は、表示部２２７にエラー表示をする。表示部２２７は、エラー表示とともに、回収処理キューの情報と一致しない金種、および、不足する束数／本数あるいは超過する束数／本数を表示する。このとき、貨幣管理装置２００は、再度、収納ドロア２１１〜２１４を自動で開けてもよい。この場合、ＩＤ情報および連携番号は検証済みであるので、操作者は、誤った金種あるいは誤った束数／本数を貨幣管理装置２００に収納したものと考えられる。従って、操作者は、正しい金種および正しい束数／本数の貨幣を貨幣管理装置２００に入れ直す。
【０１６７】
収納した貨幣の金種および束数／本数が回収処理キューに示された貨幣の金種および束数／本数と一致すれば、貨幣管理装置２００は、更新要求を出納機１００に送信する。更新要求は、回収処理における貨幣の移動が正常に完了したことを示し、かつ、出納機１００側に格納された回収処理キューを処理済み状態に変更させるための回収完了情報である。
【０１６８】
出納機１００は、通信ＩＦ１９を介して更新要求を受け取ると、回収処理キューを未処理状態から処理済み状態へ変更する（ＳＴＥＰ１７０）。例えば、各回収処理キューにフラグ情報を含め、このフラグ情報を論理反転させることによって回収処理キューの処理状態を更新させることができる。フラグ情報は、対応する回収処理キューとともにＲＯＭ１５ｄまたはＲＡＭ１５ｅに格納される。
【０１６９】
出納機１００は、回収処理キューおよび在高の更新後、更新完了信号を貨幣管理装置２００へ返信する。更新完了信号の送信後、出納機１００は、在高を更新する（ＳＴＥＰ１８０）。出納機１００は在高の更新によって一連の割込み回収処理を終了する。貨幣管理装置２００は、更新完了信号を受信し、在高の更新を行う（ＳＴＥＰ２５０）。これによって、貨幣管理装置２００も、一連の割込み回収処理を終了する。その後、出納機１００は、中断していた入金処理を再開する。
【０１７０】
ＳＴＥＰ１３０において、操作者が手持ちへの回収を選択した場合（ＳＴＥＰ１３０の「手持ち」）、貨幣は、操作者の手持ちへの回収となる（ＳＴＥＰ１４２）。この場合、出納機１００は、貨幣管理装置２００と連携しないため、回収処理キューは作成されない。出納機１００は、貨幣が回収された後、操作者のキー操作により在高の更新を行う（ＳＴＥＰ１８０）。この場合、貨幣管理装置２００の在高は、出納機１００と貨幣管理装置２００との間の次の連携処理時に更新すればよい。
【０１７１】
ＳＴＥＰ１３５において、操作者が貨幣管理装置２００への連携番号の入力を不要であると選択した場合（ＳＴＥＰ１３５のＮＯ）、ＳＴＥＰ１４０と同様に貨幣管理装置２００への回収処理が実行される。しかし、連携番号の入力が不要であるので、レシートは発行されない。
【０１７２】
次に、出納機１００は、ＳＴＥＰ１５０と同様に処理キューを作成する。処理キューの作成は、図１３を参照して上述した通りである。
【０１７３】
そして、出納機１００は、ＳＴＥＰ１６２〜ＳＴＥＰ１８０を実行する。従って、出納機１００では、ＳＴＥＰ１６０〜ＳＴＥＰ１６４が省略され、貨幣管理装置２００では、ＳＴＥＰ２００〜ＳＴＥＰ２２０が省略される。
【０１７４】
尚、連携番号の入力を不要であると選択した場合（ＳＴＥＰ１３５のＮＯ）、図１３に示す処理キューは、連携番号の情報を含まなくてもよい。
【０１７５】
図１４は、出納機１００からの出金中に収納庫のいずれかがエンプティになった場合の割込み装填処理の動作を示すフロー図である。本実施形態では、出納機１００から貨幣を出金している際に収納庫（例えば、図４の３ａ〜３ｅ）のいずれかがエンプティになった場合、出金処理の途中であっても処理を中断し、貨幣管理装置２００（あるいは手持ち）から収納庫に貨幣を装填する。収納庫へ貨幣を装填し終えた後に出金処理を再開する。
【０１７６】
まず、出納機１００において、出金処理中に収納庫のいずれかにおいてエンプティ（空状態あるいは僅少状態）が発生する（ＳＴＥＰ１０１）。例えば、図４のエンプティ検出部３７が昇降ステージ３０を検知したときに、出納機１００は、エンプティが発生したことを認識する。出納機１００は、表示部１５ａに「１．キャンセル」、「２．手出し」または「３．割込み装填」を表示させる（ＳＴＥＰ１１１）。「１．キャンセル」は、その時点で行っている出金処理の割り込み装填を中止する処理である。「２．手出し」は、出納機１００から既に出金された貨幣に操作者（行員）の手持ち貨幣を充当することによって出金する現金を用意する処理である。「２．手出し」を選択した場合、出納機１００は、貨幣管理装置２００との連携処理を実行しない。「３．割込み装填」は、入金処理を中断して、貨幣を貨幣管理装置２００から出納機１００の収納庫３へ装填する処理である。操作者は、「１．キャンセル」、「２．手出し」または「３．割込み装填」のいずれかを選択する。ただし、その出金処理で貨幣の一部が既に収納庫３から出金している場合、操作者は、「１．キャンセル」を選択できない。既に出金された一部の貨幣を戻す必要が生じるからである。しかし、出金動作に入る前であれば「１．キャンセル」は選択可能になっている。
【０１７７】
ＳＴＥＰ１１１において、操作者が「３．割込み装填」を選択すると、次に、出納機１００は、表示部１５ａに割込み装填カセットの選択画面を表示させる（ＳＴＥＰ１２１）。割込み装填カセットは、収納庫３の収納庫（例えば、３ａ〜３ｅ）のうち、貨幣装填の対象となる収納庫である。このとき、表示部１５ａには、束収納庫の収納状態が表示され、操作者は、エンプティになった収納庫だけでなく、各収納庫の貨幣量を確認することができる。操作者は、収納庫のうち貨幣を装填する収納庫を選択する。このとき、操作者は、エンプティになった収納庫だけでなく、エンプティに近い収納庫をも選択してよい。更に、束貨幣の収納庫３だけではなく、束貨幣の元になるバラ貨幣も表示部１５ａに表示してもよい。これにより、操作者は、バラ貨幣を装填し、貨幣がエンプティになることを防止できる。バラ貨幣を装填する場合、操作者は、貨幣管理装置２００から取り出した束貨幣をバラの状態にして出納機へ装填する。必要に応じてバラ貨幣は結束される。
【０１７８】
次に、出納機１００の表示部１５ａは、取引先メニューを表示する。操作者は、貨幣の取出し元となる取引先を取引先メニューから選択する（ＳＴＥＰ１３１）。このとき、貨幣管理装置２００が出納機１００に接続されている場合には、貨幣管理装置２００が取引先メニューに含まれている。この場合の取引先メニューの具体例は、図２２（Ｄ）または図３３（Ａ）に示す。
【０１７９】
貨幣管理装置２００が出納機１００に接続されていない場合には、貨幣管理装置２００が取引先メニューに含まれていない。この場合の取引先メニューの具体例は、図２３または図３３（Ｂ）に示す。
【０１８０】
操作者が取引先として貨幣管理装置２００を選択すると、出納機１００は、貨幣管理装置２００へ連携番号の入力を必要とするか否かの選択画面を表示部１５ａに表示させる（ＳＴＥＰ１３６）。尚、ＳＴＥＰ１３１の選択画面とＳＴＥＰ１３６の選択画面は、同時に表示部１５ａに表示させてもよい。
【０１８１】
操作者が貨幣管理装置２００への連携番号の入力を必要であると選択した場合（ＳＴＥＰ１３６のＹＥＳ）、貨幣管理装置２００からの装填処理が実行される（ＳＴＥＰ１４１）。より詳細には、まず、出納機１００は、連携処理の認証のために用いられる連携番号（第１の連携認証情報）が記載された認証伝票（レシート）を発行する。レシートに記載されている内容は、後述する装填処理キューと同じ情報が記載されている。装填される貨幣の束数／本数は、操作者が指定してもよく、あるいは、出納機１００の制御部１５ｃにおいて演算してもよい。
【０１８２】
操作者が装填される貨幣の束数／本数を指定する場合、ＳＴＥＰ１４１において、出納機１００は、貨幣の束数／本数の入力画面を表示部１５ａに表示させる。操作者は、出金額に応じて、装填させる貨幣の束数／本数を入力する。出納機１００の制御部１５ｃは、ＳＴＥＰ１２１において選択された収納庫に対応する貨幣の金種について、入力された束数／本数を示すように装填処理キューを作成する。この場合、操作者は、出納機１００への出金処理における出金額に応じて、装填する貨幣の束数／本数を増減させることができる。
【０１８３】
装填される貨幣の束数／本数を制御部１５ｃにおいて演算する場合、制御部１５ｃは、ＳＴＥＰ１２０において選択された収納庫の空き容量（装填可能な束数／本数）に基づいて、装填される束数／本数を演算する。例えば、制御部１５ｃは、選択された束収納庫の空き容量（束数）の２分の１を装填束数とする。この場合、操作者による束数／本数の入力を省略することができる。勿論、演算された束数／本数は操作者によって増減可能にしてもよい。
【０１８４】
次に、出納機１００は、装填処理キューを作成する（ＳＴＥＰ１５１）。処理情報作成手段としての制御部１５ｃは、貨幣の処理情報としての回収処理キューを作成する。
【０１８５】
装填処理キューの概念は、図１３に示す回収処理キューと類似するので、その図示を省略する。装填処理キューは、実際に装填する予定の貨幣の束数／本数を金種ごとに示した情報である。従って、図１３において、「処理名称」は、「装填（貨幣管理装置→出納機）」となる。これにより、貨幣管理装置２００から出納機１００への装填処理に関する処理キューであることが分かる。また、装填処理キューも互いに異なる連携番号を有する。
【０１８６】
また、装填処理キューでは、装填される束紙幣Ｂの束数および金額を金種ごとに示している。装填処理キューのその他の概念は、図１３に示す処理キューの概念と同様である。装填処理キューもまた、回収処理キューと同様にＲＯＭ１５ｄまたはＲＡＭ１５ｅに格納される。
【０１８７】
図１４を再度参照する。操作者は、貨幣管理装置２００において出金の手続を行う。より詳細には、操作者は、貨幣管理装置２００にＩＤ情報を入力し、ログインする（ＳＴＥＰ２０１）。さらに、操作者は、レシートに記載された連携番号を入力する（ＳＴＥＰ２００）。ここで入力された連携番号は、第２の連携認証情報として、後に出納機１００へ送信される。その他、装填処理における要求信号の送信動作は、回収処理における要求信号の送信動作と同様であるので、その詳細な説明を省略する。さらに、装填処理キューの検証動作は、上述した回収処理キューの検証動作と同じであるので、その詳細な説明を省略する。即ち、ＳＴＥＰ１６１、ＳＴＥＰ１６３およびＳＴＥＰ１６５の各動作は、図１２に示すＳＴＥＰ１６０、ＳＴＥＰ１６２およびＳＴＥＰ１６４の動作と同様である。また、ＳＴＥＰ２１１、ＳＴＥＰ２２１およびＳＴＥＰ２３１の各動作は、図１２に示すＳＴＥＰ２１０、ＳＴＥＰ２２０およびＳＴＥＰ２３０の各動作と同様である。
【０１８８】
ＳＴＥＰ２３１において貨幣管理装置２００が装填処理キューを取得すると、貨幣管理装置２００は、操作者に装填処理キューを取得した旨を通知する。また、貨幣管理装置２００は、装填処理キューの取得をトリガーとして収納ドロア２１１〜２１４を自動で開いてもよい。操作者は、出納機１００へ装填する予定の貨幣を収納ドロア２１１〜２１４から取出す（ＳＴＥＰ２４１）。
【０１８９】
貨幣を収納ドロア２１１〜２１４から取出した後、操作者が収納ドロア２１１〜２１４を閉めると、貨幣管理装置２００は、取出された貨幣の金種および束数／本数と装填処理キューに含まれる金種および束数／本数の情報とが一致するか否かを検証する。より詳細には、貨幣管理装置２００は、収納ドロア２１１〜２１４が閉じられたことをトリガーとして自動精査を開始する。自動精査では、各金種の重量測定を行って、金種ごとの束紙幣の束数、棒金の本数を算出し、装填処理キューの情報と比較する。
【０１９０】
もし、取出された貨幣の金種および束数／本数が装填処理キューに示された貨幣の金種および束数／本数と一致しない場合、貨幣管理装置２００は、表示部２２７にエラー表示をする。表示部２２７は、エラー表示とともに、装填処理キューの情報と一致しない金種、および、不足する束数／本数あるいは超過する束数／本数を表示する。このとき、貨幣管理装置２００は、再度、収納ドロア２１１〜２１４を自動で開けてもよい。この場合、ＩＤ情報および連携番号は検証済みであるので、操作者は、誤った金種あるいは誤った束数／本数を貨幣管理装置２００から取出したものと考えられる。従って、操作者は、取出した貨幣の金種および束数／本数が装填処理キューのそれらの情報と等しくなるように貨幣を貨幣管理装置２００から取り出す。
【０１９１】
収納した貨幣の金種および束数／本数が装填処理キューに示された貨幣の金種および束数／本数と一致すれば、貨幣管理装置２００は、更新要求を出納機１００に送信する。更新要求は、装填処理における貨幣が貨幣管理装置２００から正常に取出されたことを示し、かつ、出納機１００側に格納された回収処理キューを処理済み状態に変更させるための取出完了情報である。
【０１９２】
出納機１００は、通信ＩＦ１９を介して更新要求を受け取ると、装填処理キューを未処理状態から処理済み状態へ変更する（ＳＴＥＰ１７１）。例えば、各装填処理キューにフラグ情報を含め、このフラグ情報を論理反転させることによって装填処理キューの処理状態を更新させることができる。フラグ情報は、対応する装填処理キューとともにＲＯＭ１５ｄまたはＲＡＭ１５ｅに格納される。
【０１９３】
出納機１００は、装填処理キューの更新後、更新完了信号を貨幣管理装置２００へ返信する。更新完了信号の送信後、操作者は、貨幣管理装置２００から取出した貨幣を出納機１００の収納庫へ装填する（ＳＴＥＰ１７５）。貨幣の装填は、出納機１００の入出金口１０に貨幣を投入することによって実行される。貨幣の装填後、出納機１００は、在高を更新する（ＳＴＥＰ１８１）。出納機１００は在高の更新によって一連の割込み装填処理を終了する。
【０１９４】
貨幣管理装置２００は、更新完了信号を受信し、在高の更新を行う（ＳＴＥＰ２５１）。これによって、貨幣管理装置２００も、一連の割込み装填処理を終了する。その後、出納機１００は、中断していた出金処理を再開する。
【０１９５】
ＳＴＥＰ１３１において、操作者が手持ちからの装填を選択した場合（ＳＴＥＰ１３１の「手持ち」）、操作者は、手持ちの貨幣を出納機１００へ装填する（ＳＴＥＰ１４３）。この場合、出納機１００は、貨幣管理装置２００と連携しないため、装填処理キューは作成されない。出納機１００は、ＳＴＥＰ１７５において貨幣が装填された後、操作者のキー操作により在高の更新を行う（ＳＴＥＰ１８１）。この場合、貨幣管理装置２００の在高は、出納機１００と貨幣管理装置１００との間の次の連携処理時に更新すればよい。
【０１９６】
ＳＴＥＰ１３６において、操作者が貨幣管理装置２００への連携番号の入力を不要であると選択した場合（ＳＴＥＰ１３６のＮＯ）、ＳＴＥＰ１４１と同様に貨幣管理装置２００への回収処理が実行される。しかし、連携番号の入力が不要であるので、レシートは発行されない。
【０１９７】
次に、出納機１００は、ＳＴＥＰ１５１と同様に処理キューを作成する。処理キューの作成は、上述した通りである。
【０１９８】
そして、出納機１００は、ＳＴＥＰ１６３〜ＳＴＥＰ１８１を実行する。従って、出納機１００では、ＳＴＥＰ１６１〜ＳＴＥＰ１６５が省略され、貨幣管理装置２００では、ＳＴＥＰ２０１〜ＳＴＥＰ２２１が省略される。
【０１９９】
尚、連携番号の入力を不要であると選択した場合（ＳＴＥＰ１３６のＮＯ）、図１３に示す処理キューは、連携番号の情報を含まなくてもよい。
【０２００】
以上の説明は、束紙幣および／または包装貨幣に関する回収処理および装填処理について説明した。これらの処理は、いずれもバラ紙幣および／またはバラ硬貨についても同様に適用することができる。この場合、貨幣の束数／本数は、貨幣の枚数と読み替えればよい。
【０２０１】
このように、本実施形態では、出納機１００への入金途中において出納機１００内の収納庫がフルになった場合であっても、貨幣管理装置２００が出納機１００と連携することによって、操作者は、出納機１００から貨幣管理装置２００へ貨幣をスムーズに回収することができる。また、出納機１００からの出金途中において出納機１００内の収納庫がエンプティになった場合であっても、同様に、貨幣管理装置２００が出納機１００と連携することによって、操作者は貨幣管理装置２００から出納機１００へ貨幣をスムーズに装填することができる。つまり、本実施形態によれば、ほぼシームレスな貨幣の運用が可能となる。
【０２０２】
また、出納機１００と貨幣管理装置２００とが連携することにより、出納機１００が、在庫在高、機械在高及びポスト在高に加えて、貨幣管理装置在高を含む手持ち在高についても正確にかつ一元的に管理することができる。
【０２０３】
さらに、本実施形態によれば、貨幣管理装置２００における連携番号の入力の要否を選択することができる。出納機１００と貨幣管理装置２００との距離が近く、出納機１００と貨幣管理装置２００との間の貨幣の移動処理が他の処理と重複することなく直ちに処理可能な場合には、連携番号の入力が不要であること選択することができる。これにより、操作者が連携番号を貨幣管理装置２００に入力する手間が省け、操作性を向上させることができる。勿論、連携番号の入力が必要な場合、出納機１００において連携番号の入力が必要であることを選択することができる。これにより、セキュリティを向上させ、かつ、複数の処理が重複してもそれらの処理から必要な処理を特定し、認証することができる。
【０２０４】
本実施形態では、連携番号の入力の要否を選択可能としたが、ＩＤ番号および／またはパスワード等の入力の要否も選択可能にしてもよい。
【０２０５】
図１５は、本発明の実施の一形態に係る貨幣管理システムによる在高管理の全体像を模式的に表した説明図である。
【０２０６】
本発明の実施の一形態に係る貨幣管理システムは、相互に通信可能に構成された出納機１００と貨幣管理装置２００とを備えている。出納機１００と貨幣管理装置２００とは、相互に通信可能に構成されているが、その通信回線は常時接続ではなく、随時、任意に接続を物理的に切断することができる。従って、貨幣管理装置２００は、店舗内の任意の場所へ移動して使用することができる。尚、貨幣管理装置２００は、単体での在高管理も可能である。
【０２０７】
本発明の実施の一形態に係る貨幣管理システムにおいては、金融機関店舗内の総ての在高管理は、出納機１００によって行われる。出納機１００が管理する在高には、在庫在高６、機械在高１、ポスト在高２、手持ち在高３が含まれる。
【０２０８】
在庫在高６とは、金融機関店舗内の本金庫内に収納されている貨幣の在高である。機械在高１とは、出納機１００内に収納されている貨幣の在高である。ポスト在高２とは、出納機１００のポスト、即ち、前述の現金外ボックス１４に入金された小切手等の有価証券類や、破損又は汚損した紙幣である損券であって、出金が不可能なものの在高である。手持ち在高３とは、資金移動のために一時的に本金庫又は出納機１００から取り出される等して、人手による管理の下に置かれている貨幣の在高であるが、貨幣管理装置２００に収納されて移動可能な状態となっている貨幣の在高である貨幣管理装置在高４（４Ｘ，４Ｙ）も手持ち在高の一部として管理される。貨幣管理装置在高４は、出納機１００において手持ち在高３の一部４Ｘとして管理されるが、貨幣管理装置２００自体においては、貨幣管理装置在高４Ｙとして管理されるものである。貨幣管理装置２００の貨幣管理装置在高４Ｙは、出納機１００により随時問い合わせられる。貨幣管理装置在高４Ｘと貨幣管理装置在高４Ｙとは、出納機１００と貨幣管理装置２００との間で連携情報を送受信して双方の在高データを更新することにより一致させられる。
【０２０９】
連携情報は、出納機１００の処理情報管理データベース４００に記憶され、必要に応じて随時、更新される。この処理情報管理データベース４００は、例えば、出納機１００のハードディスクドライブ１５ｇに記憶される。
【０２１０】
顧客との間で入出金を行う場合には、機械在高又は手持ち在高に含まれる貨幣を用いて入出金を行う。また、顧客から小切手等の有価証券類が入金された場合や、入金された貨幣の中に損券が含まれていた場合は、それらはポスト入金されてポスト在高として管理されるが、その後、それらの有価証券類や損券が出納機１００のポストから回収されると、そのポスト在高は手持ち在高の一部として管理される。
【０２１１】
出納機１００に収納されている貨幣が不足した場合（エンプティの場合）、あるいは、入り切らなくなった場合（フルの場合）には、操作者は、本金庫または貨幣管理装置２００から貨幣を取り出してその貨幣を出納機１００に装填し、あるいは、出納機１００から貨幣を回収してその貨幣を本金庫または貨幣管理装置２００に収納する。特に、出納機１００への入金途中において出納機１００内の収納庫がフルになった場合には、図１１および図１２を参照して説明したように回収処理を実行する。出納機１００からの出金途中において出納機１００内の収納庫がエンプティになった場合には、図１４を参照して説明したように装填処理を実行する。
【０２１２】
回収処理において、在高の更新は、機械在高１から貨幣管理装置在高４Ｘへ移動させることによって実行される。一方、装填処理において、在高の更新は、貨幣管理装置在高４Ｘから機械在高１へ移動させることによって実行される。その資金移動の際には、当該資金は一時的に手持ち在高として管理されてもよい。また、図１２のＳＴＥＰ１４２のように手持ちとして回収する場合、在高の更新は、機械在高１から手持ち在高３へ動作させることによって実行される。図１４のＳＴＥＰ１４３のように手持ちから装填する場合、在高の更新は、手持ち在高３から機械在高１へ動作させることによって実行される。
【０２１３】
貨幣管理装置２００に収納されている貨幣が不足した場合には、本金庫から貨幣を取り出して貨幣管理装置２００に補充し、あるいは、手持ち在高の中から貨幣を貨幣管理装置２００に装填する。貨幣管理装置２００に貨幣が入り切らなくなった場合には、貨幣管理装置２００から貨幣を回収して本金庫に収納し、あるいは、手許に置いて手持ち在高として管理する。
【０２１４】
総ての資金移動は、上述のように出納機１００によって在高管理が行われる。特に、出納機１００と貨幣管理装置２００との間における貨幣の装填／回収、あるいは、本金庫と貨幣管理装置２００との間における貨幣の収納及び取出を含む入出金操作が行われる場合には、連携情報（処理キュー）が出納機１００において作成される。当該連携情報は貨幣の移動の前あるいはその後において出納機１００から貨幣管理装置２００へ送信され、かつ、その貨幣の移動の実行後に当該連携情報の更新要求が貨幣管理装置２００から出納機１００へ送り返される。このように、出納機１００と貨幣管理装置２００とにおける当該連携処理の整合が図られることによって、正確な在高管理が維持される。
【０２１５】
図１６は、本発明の実施の一形態に係る貨幣管理システムにおいて管理される各在高を表示するための選択メニュー表示例である。
【０２１６】
図１６に示すメニューには、「１  機械在高」、「２  ポスト在高」、「３  手持ち在高」、「４  貨幣管理装置在高」、「５  機械・ポスト・手持ち在高」、「６  在庫在高」が含まれている。
【０２１７】
「５  機械・ポスト・手持ち在高」は、機械在高とポスト在高と手持ち在高との合計在高である。機械在高１、ポスト在高２、手持ち在高３、貨幣管理装置在高４、在庫在高６の定義は、上述した通りである。
【０２１８】
一方、サブメニューには、機械在高１の詳細な内訳として、「１  機械在高合計」、「２  バラ紙幣入出金部在高」、「３  束整理出金部在高」、「４  新券出金部在高」、「５  バラ硬貨入出金部在高」、「６  包装硬貨出金部在高」、「７  機械在高連続」が含まれている。
【０２１９】
「１  機械在高合計」は、「２  バラ紙幣入出金部在高」と「３  束整理出金部在高」と「４  新券出金部在高」と「５  バラ硬貨入出金部在高」と「６  包装硬貨出金部在高」の合計在高であり、メニューの「１  機械在高」と同義である。
【０２２０】
「２  バラ紙幣入出金部在高」は、出納機１００の一部を構成する紙幣入出金整理機の中のバラ紙幣入出金部１１−Ｐ２の在高である。「３  束整理出金部在高」は、出納機１００の一部を構成する紙幣入出金整理機の中の束整理出金部１１−Ｐ１、即ち、紙幣を１００枚１束に整理して帯封を付して出金する出金部の在高である。「４  新券出金部在高」は、出納機１００の一部を構成する紙幣入出金整理機の中の新券出金部、即ち、顧客の要望に応じて紙幣の新券のみを出金する出金部の在高である。
【０２２１】
「５  バラ硬貨入出金部在高」は、出納機１００の一部を構成する硬貨入出金整理機の中のバラ硬貨入出金部１２の在高である。「６  包装硬貨出金部在高」は、出納機１００の一部を構成する硬貨入出金整理機の中の包装硬貨出金部１３、即ち、硬貨を５０枚１本の棒金に包装して出金する出金部の在高である。
【０２２２】
「７  機械在高連続」は、「２  バラ紙幣入出金部在高」と「３  束整理出金部在高」と「４  新券出金部在高」と「５  バラ硬貨入出金部在高」と「６  包装硬貨出金部在高」とを個別に連続して表示するためのサブメニュー項目である。
【０２２３】
図１２および図１４で説明した回収処理および装填処理は、出納機１００への入金途中にフルが生じ場合、あるいは、出納機１００からの出金途中にエンプティが生じた場合の連携処理を示している。以下、図１７以降を参照して、上記回数処理および装填処理を含むより上位概念の全体的な連携処理について説明する。
【０２２４】
図１７（Ａ）〜図１７（Ｅ）は、本発明の実施の一形態に係る貨幣管理システムにおいて行うことができる運用方法の例を示す説明図である。図１７（Ａ）および図１７（Ｂ）は、貨幣管理装置２００への連携番号の入力が必要であると選択された場合の運用方法を示す。図１７（Ｄ）および図１７（Ｅ）は、貨幣管理装置２００への連携番号の入力が不要であると選択された場合の運用方法を示す。
【０２２５】
最初に、図１７に示されている「出納担当者」及び「テラー」について説明する。「出納担当者」とは、本発明の実施の一形態に係る貨幣管理システムを構成する出納機１００及び貨幣管理装置２００の両方を使用する総ての入出金操作を行う権限を与えられている上位権限者である。一方、「テラー」とは、金融機関店舗の窓口で顧客との直接対応を行う係員（一般行員）であって、出納機１００において所定の限度額以内の入出金操作を行う権限を与えられている下位権限者である。「出納担当者」及び「テラー」をまとめて操作者と呼ぶ場合がある。
【０２２６】
尚、許容される入出金操作の限度額が異なっていても、「出納担当者」及び「テラー」のいずれも、出納機１００及び貨幣管理装置２００を操作するためには、出納機１００及び貨幣管理装置２００のそれぞれに自己のＩＤ情報と暗証番号又はパスワードを予め登録しておく必要がある。
【０２２７】
図１７（Ａ）は、出納機１００から１００万円、貨幣管理装置２００から１０００万円の合計１１００万円の取出操作を同一の出納担当者が行う場合を示している。
【０２２８】
出納担当者が自己のＩＤ情報と暗証番号又はパスワードを出納機１００に入力した上で「出納機１００から１００万円、貨幣管理装置２００から１０００万円の合計１１００万円の取出操作」の入力を行うと、その取出操作についての連携情報（処理キュー）が作成されて連携番号が付され、当該連携情報は連携番号と共に出納機１００のハードディスクドライブ１５ｇに記憶される。また、貨幣管理装置２００からの問い合わせに応じて、通信回線を介して当該連携情報が貨幣管理装置２００に送信され、貨幣管理装置２００のハードディスクドライブ２２５ｇにも記憶される。
【０２２９】
そして、出納機１００から１００万円を出金する操作を行うと、１００万円の束紙幣が出納機１００から出金されると共に、入力された出金操作による出金のうちの一部が実行されたことを示す手払いレシートが発行される。この手払いレシートには、当該出金操作についての連携情報に対応する連携番号も印刷されている。
【０２３０】
次に、出納担当者が貨幣管理装置２００に当該連携番号を入力すると、貨幣管理装置２００は、当該連携番号に基づいて対応する連携情報の送信を出納機１００に要求し、出納機１００から当該連携情報を受信すると、その連携情報における操作内容を表示する。尚、ここでは、連携番号が印刷された手払いレシートは、出納担当者のＩＤ情報と暗証番号又はパスワードを出納機１００に入力した結果として発行されている。貨幣管理装置２００では、同一の出納担当者が操作を行うので、連携番号のみ入力し、ＩＤ情報と暗証番号又はパスワードの入力は省略できるものとしている。逆に、貨幣管理装置２００では、ＩＤ情報のみ、又は、ＩＤ情報と暗証番号若しくはパスワードを入力するようにして、連携番号の入力を省略可能とし、ＩＤ情報の入力に応じて、当該担当者が関係する連携情報が一覧表示されるようにして、処理を選択できるようにしてもよい。この場合、手払いレシートを紛失しないように注意し、あるいは、連携番号を記憶しておく必要がなく、便利である。但し、より高度のセキュリティを担保したい場合には、貨幣管理装置２００でもＩＤ情報と暗証番号又はパスワードの入力を要求するようにしてもよい。
【０２３１】
上記連携情報における操作として、「出納機１００から１００万円、貨幣管理装置２００から１０００万円の合計１１００万円の取出操作」のうち未実行の貨幣管理装置２００から１０００万円の取出を実行する操作を行うと、ドロアのロックが解除され、１０００万円の大束紙幣が取り出された後に、貨幣管理装置２００における自動在高確認動作が行われる。
【０２３２】
また、貨幣管理装置２００のハードディスクドライブ２２５ｇにおける上記連携情報について操作が完了した旨の更新記録が行われると共に、更新記録された当該連携情報が通信回線を介して出納機１００に送信され、出納機１００のハードディスクドライブ１５ｇにも記憶される。
【０２３３】
以上のような連携情報の送受信により、出納機１００及び貨幣管理装置２００における連携情報の整合が図られる。即ち、連携情報の同期が取られる。
【０２３４】
図１７（Ｂ）は、テラーが出納機１００から１００万円、出納担当者が貨幣管理装置２００から１０００万円の合計１１００万円の出金操作を行う場合を示している。
【０２３５】
テラーが自己のＩＤ情報と暗証番号又はパスワードを出納機１００に入力した上で「出納機１００から１００万円、貨幣管理装置２００から１０００万円の合計１１００万円の取出操作」の入力を行うと、その取出操作についての連携情報が作成されて連携番号が付され、当該連携情報は連携番号と共に出納機１００のハードディスクドライブ１５ｇに記憶される。また、貨幣管理装置２００からの問い合わせに応じて、通信回線を介して当該連携情報が貨幣管理装置２００に送信され、貨幣管理装置２００のハードディスクドライブ２２５ｇにも記憶される。
【０２３６】
ここでは１０００万円の取出操作がテラーの権限を越える操作であるものとすると、出納機１００での１００万円の出金操作はテラー自身が実行可能であるが、貨幣管理装置２００からの取出操作は必ず出納担当者が実行すべきことが上記連携情報において規定されることもできる。
【０２３７】
そして、テラーが出納機１００から１００万円を出金する操作を行うと、１００万円の束紙幣が出納機１００から出金されると共に、入力された出金操作による出金のうちの一部が実行されたことを示す手払いレシートが発行される。この手払いレシートには、当該出金操作についての連携情報に対応する連携番号も印刷されている。
【０２３８】
次に、テラーからの依頼を受けた出納担当者が自己のＩＤ情報と暗証番号又はパスワードを貨幣管理装置２００に入力した上で、手払いレシートに記載された連携番号を貨幣管理装置２００に入力すると、貨幣管理装置２００は、当該連携番号に基づいて対応する連携情報の送信を出納機１００に要求し、出納機１００から当該連携情報を受信すると、その連携情報における操作内容を表示する。尚、ここでは、出納機１００からの出金操作を行うテラーと貨幣管理装置２００からの取出操作を行う出納担当者とは別個の係員であって、それぞれ個別のＩＤ情報と暗証番号又はパスワードとを有しているので、テラー及び出納担当者のいずれも、ＩＤ情報と暗証番号又はパスワードの入力を省略することはできない。ＩＤ情報を入力したときに、当該担当者が関係する未処理の連携処理（取出／収納操作）のリストを表示させて、連携番号を選択させることは可能である。
【０２３９】
上記連携情報における操作として、「出納機１００から１００万円、貨幣管理装置２００から１０００万円の合計１１００万円の取出操作」のうち未実行の貨幣管理装置２００から１０００万円の取出を実行する操作を行うと、ドロアのロックが解除され、１０００万円の大束紙幣が取り出された後、貨幣管理装置２００における自動在高確認動作が行われる。
【０２４０】
また、貨幣管理装置２００のハードディスクドライブ２２５ｇにおける上記連携情報について操作内容が完了した旨の更新記録が行われると共に、更新記録された当該連携情報が通信回線を介して出納機１００に送信され、出納機１００のハードディスクドライブ１５ｇにも記憶される。
【０２４１】
以上のような連携情報の送受信により、出納機１００及び貨幣管理装置２００における連携情報の整合が図られる。即ち、連携情報の同期が取られる。
【０２４２】
図１７（Ｃ）は、貨幣管理装置２００単体の運用を行う場合であって、貨幣管理装置２００から１１００万円の出金操作を出納担当者が行う場合を示している。
【０２４３】
出納担当者が自己のＩＤ情報と暗証番号又はパスワードを貨幣管理装置２００に入力した上で「貨幣管理装置２００からの１１００万円の出金操作」を入力すると、その出金操作についてのローカル処理情報が作成されてローカル処理番号が付され、当該ローカル処理情報はローカル処理番号と共に貨幣管理装置２００のハードディスクドライブ２２５ｇに記憶される一方、その時点で貨幣管理装置２００と出納機１００とが通信回線を介して接続されていれば、当該ローカル処理情報が出納機１００に送信され、出納機１００のハードディスクドライブ１５ｇにも記憶される。
【０２４４】
そして、貨幣管理装置２００から１１００万円を取り出すための操作を行うと、１０００万円の大束紙幣と１００万円の束紙幣とを取り出すことができ、貨幣管理装置２００における自動在高確認動作が行われる。
【０２４５】
また、貨幣管理装置２００のハードディスクドライブ２２５ｇにおける上記ローカル処理情報について操作が完了した旨の更新記録が行われる。さらに、貨幣管理装置２００と出納機１００とが通信回線を介して接続されると、記録された当該ローカル処理情報が通信回線を介して出納機１００に送信され、出納機１００のハードディスクドライブ１５ｇにも記憶される。ローカル処理情報が作成された時点で貨幣管理装置２００と出納機１００とが通信回線を介して接続されていなかった場合には、両者が通信回線を介して接続された時に、記録された当該ローカル処理情報が出納機１００に送信されて、出納機１００のハードディスクドライブ１５ｇに記憶されるものとしてもよい。
【０２４６】
図１７（Ｄ）は、図１７（Ａ）と同様に、出納機１００から１００万円、貨幣管理装置２００から１０００万円の合計１１００万円の取出操作を同一の出納担当者が行う場合を示している。しかし、図１７（Ｄ）では、操作者は、貨幣管理装置２００に連携番号（処理キュー）を入力する必要が無い。以下、図１７（Ｄ）の運用方法において、図１７（Ａ）に示す運用と異なる点を説明する。
【０２４７】
出納担当者が１１００万円の取出操作を行うと、連携情報が作成されてハードディスクドライブ１５ｇに記憶される。さらに、出納機１００は、貨幣管理装置２００からの要求無しに、処理キューを貨幣管理装置２００へ送信する。この連携情報には連携番号が含まれていても構わない。
【０２４８】
出納担当者が出納機１００から１００万円を出金する操作を行うと、１００万円の束紙幣が出納機１００から出金される。しかし、連携番号が記載された手払いレシートは発行されない。
【０２４９】
貨幣管理装置２００は、処理キューを受信すると、自動的にドロアのロックを解除する。出納担当者は、１０００万円の束紙幣を取り出す。このように、処理キューの受信によって自動的にドロアのロックを解除することによって、貨幣管理システムの操作性が一層向上する。尚、貨幣管理装置２００は、処理キューを受信した後、出納担当者のＩＤ情報と暗証番号またはパスワードの入力を要求し、ＩＤ情報と暗証番号またはパスワードの入力後、ドロアのロックを開示してもよい。この場合、操作性は或る程度損なわれるが、セキュリティ上好ましい。
【０２５０】
その後、図１７（Ａ）を参照して説明した通り、貨幣管理装置２００における自動在高確認動作が行われる。
【０２５１】
図１７（Ｅ）は、図１７（Ｂ）と同様に、テラーが出納機１００から１００万円、出納担当者が貨幣管理装置２００から１０００万円の合計１１００万円の出金操作を行う場合を示している。しかし、図１７（Ｅ）では、操作者は、貨幣管理装置２００に連携番号（処理キュー）を入力する必要が無い。以下、図１７（Ｅ）の運用方法において、図１７（Ｂ）に示す運用と異なる点を説明する。
【０２５２】
テラーが１１００万円の取出操作を行うと、連携情報が作成されてハードディスクドライブ１５ｇに記憶される。さらに、出納機１００は、貨幣管理装置２００からの要求無しに、処理キューを貨幣管理装置２００へ送信する。この連携情報には連携番号が含まれていても構わない。
【０２５３】
尚、１０００万円の取出操作がテラーの権限を越える操作であるものとすると、出納機１００での１００万円の出金操作はテラー自身が実行可能であるが、貨幣管理装置２００からの取出操作は必ず出納担当者が実行すべきことが上記連携情報において規定されることもできる。
【０２５４】
テラーが出納機１００から１００万円を出金する操作を行うと、１００万円の束紙幣が出納機１００から出金される。しかし、連携番号が記載された手払いレシートは発行されない。
【０２５５】
貨幣管理装置２００は、処理キューを受信すると、自動的にドロアのロックを解除する。出納担当者は、１０００万円の束紙幣を取り出す。ここでは、出納機１００からの出金操作を行うテラーと貨幣管理装置２００からの取出操作を行う出納担当者とは別個の係員であるが、操作性を優先して、ＩＤ情報と暗証番号又はパスワードの入力を省略してもよい。勿論、貨幣管理装置２００は、処理キューを受信した後、出納担当者のＩＤ情報またはパスワードの入力を要求し、ＩＤ情報と暗証番号又はパスワードの入力後、ドロアのロックを開示してもよい。この場合、操作性は或る程度損なわれるが、セキュリティ上好ましい。
【０２５６】
その後、図１７（Ｂ）を参照して説明した通り、貨幣管理装置２００における自動在高確認動作が行われる。
【０２５７】
以上は、本発明の実施の一形態に係る貨幣管理システムにおいて行われる連携情報の送受信手順の一例であり、後述する連携情報の送受信手順の他の例とは一部異なっている。
【０２５８】
図１８（Ａ）および図１８（Ｂ）は、貨幣管理装置２００での入出金操作時における出納機１００と貨幣管理装置２００との間のデータ送受信及び動作（操作）手順を模式的に表した説明図である。図１８（Ａ）は、連携番号の入力が必要な場合の動作手順を示し、図１８（Ｂ）は、連携番号の入力が不要な場合の動作手順を示す。
【０２５９】
図１８（Ａ）の動作手順を説明する。入出金操作を行う担当者が自己のＩＤ情報を出納機１００に入力すると、当該担当者に許可された選択可能な処理が出納機１００の表示部１５ａに一覧表示されるので、当該担当者はその中から実行しようとする入出金操作（処理）を選択して入力し（ＳＴＥＰ５００）、次に、当該処理に必要な暗証番号を入力する（ＳＴＥＰ５０１）。すると、その入出金操作（処理）についての連携情報が作成されて連携番号が付され、当該連携情報は連携番号と共に出納機１００のハードディスクドライブ１５ｇに記憶され、当該連携情報に含まれる入出金操作（処理）の実施が可能な状態となる（ＳＴＥＰ５０２）。
【０２６０】
そして、出納機１００は、その連携情報に、貨幣管理装置２００との連携がある、即ち、扱い区分が貨幣管理装置２００で、かつ、操作実行担当者が貨幣管理装置２００の操作権限を有する入出金操作が含まれるか否かを識別する。
【０２６１】
いずれかの条件に該当しない場合には、当該連携情報に関する処理を終了させるが（ＳＴＥＰ５０４）、貨幣管理装置２００との連携があり且つ操作実行担当者が貨幣管理装置２００の操作権限を有する取出／収納操作が含まれる場合には、出納機１００は、貨幣管理装置２００に対して、当該連携情報に含まれる取出／収納処理を開始すべきことを要求する処理オープン要求を通信回線を介して送信する（ＳＴＥＰ５０３）。そして、出納機１００では、認証印字を行って処理を終了する（ＳＴＥＰ５０４）。
【０２６２】
出納機１００からの処理オープン要求に応じて貨幣管理装置２００では、担当者ＩＤ入力、処理項目選択入力及び暗証番号入力のうち担当者ＩＤ入力及び暗証番号入力をスキップ（省略）可能とする（ＳＴＥＰ５１０）。
【０２６３】
貨幣管理装置２００において、処理項目選択画面で連携情報を選択すると（ＳＴＥＰ５１１）、連携情報の連携番号が入力可能な状態となる。連携番号が対応付けられた連携情報は、操作実行担当者が自己のＩＤ情報と暗証番号とを出納機１００に入力した結果として作成されたものであるので、ここでは、貨幣管理装置２００において連携番号のみ入力すれば、操作実行担当者のＩＤ情報及び暗証番号の入力は省略することができる。
【０２６４】
但し、より高度のセキュリティを担保したい場合には、貨幣管理装置２００でも、操作開始時に、操作実行担当者のＩＤ情報と暗証番号の入力を要求するようにしてもよい（ＳＴＥＰ５１０）。この場合は、操作実行担当者が自己のＩＤ情報と暗証番号とを貨幣管理装置２００に入力して（ＳＴＥＰ５１０）、処理項目選択画面で連携情報を選択すると（ＳＴＥＰ５１１）、連携情報の連携番号が入力可能な状態となる。
【０２６５】
逆に、貨幣管理装置２００では、ＩＤ情報のみ、又は、ＩＤ情報と暗証番号若しくはパスワードを入力するようにして、ＩＤ情報の入力に応じて、当該担当者が関係する連携情報が一覧表示されるようにして、連携番号の入力を省略可能としてもよい。この場合、連携番号が印字されたレシートを紛失しないように注意し、あるいは、連携番号を記憶しておく必要がなく、便利である。
【０２６６】
操作実行担当者のＩＤ情報及び暗証番号の入力後、又は、ＩＤ情報及び暗証番号の入力無しで、実行しようとする取出／収納操作の連携情報に対応する連携番号を入力すると（ＳＴＥＰ５１２）、貨幣管理装置２００は、当該連携番号に対応する連携情報要求を出納機１００に対して送信する。出納機１００はその連携情報要求に応答して当該連携情報を貨幣管理装置２００に送信する。貨幣管理装置２００は、当該連携情報を受信して例えばハードディスクドライブ２２５ｇに記憶すると共に、その連携情報における取出／収納操作内容を表示する。
【０２６７】
表示された取出／収納操作の操作実行担当者による選択入力により、その取出／収納操作が実行可能な状態となり、貨幣の収納及び／又は取出処理が行われた後（ＳＴＥＰ５１３）、貨幣管理装置２００における自動精査即ち自動在高確認動作が行われ、入出金後の貨幣管理装置在高に異常がなければ入出金操作は正常に終了する。
【０２６８】
そして、貨幣管理装置２００に記憶保存された上記連携情報について操作内容が完了した旨の更新記録が行われる。また、更新記録された当該連携情報が処理結果通知と共に通信回線を介して出納機１００に送信され、出納機１００において管理されている当該連携情報も更新記録される。そして、出納機１００が更新記録された当該連携情報と処理結果通知とを受信した旨を貨幣管理装置２００に対して送信すると、出納機１００において当該連携情報に処理済のフラグがセットされる。さらに、出納機１００からの応答を貨幣管理装置２００が受信すると、貨幣管理装置２００における処理も終了する（ＳＴＥＰ５１４）。
【０２６９】
出納機１００における処理の終了時には、処理結果が認証伝票に認証印字されるものとするとよい。
【０２７０】
尚、貨幣管理装置２００が出納機１００から連携情報を受信し、当該連携情報の収納及び／又は取出処理が行われて当該連携情報の更新記録が行われた後、貨幣管理装置２００から出納機１００へ更新記録された当該連携情報を送信しようとした時点で、貨幣管理装置２００と出納機１００との間の通信回線が切断されていた場合には、貨幣管理装置２００は、更新記録された当該連携情報を直ちに送信せずに保持しておき、後に通信回線が接続されたときに送信するようにする。
【０２７１】
図１８（Ｂ）の動作手順において、図１８（Ａ）の手順と異なる点を説明する。出納機１００と貨幣管理装置２００との連携があり且つ操作実行担当者が貨幣管理装置２００の操作権限を有する場合には、出納機１００は、貨幣管理装置２００に対して、連携情報（処理キュー）を通信回線を介して送信する（ＳＴＥＰ５５３）。出納機１００では、連携情報を印字しない。
【０２７２】
出納機１００から処理キューを受信した貨幣管理装置２００は、操作者が即座に処理できるように、取出／収納操作が実行可能な状態となる（ＳＴＥＰ５１３）。貨幣の収納及び／又は取出処理が行われた後、図１８（Ａ）を参照して説明したとおり、自動在高確認動作が行われる。尚、貨幣管理装置２００は、処理キューを受信した後、出納担当者のＩＤ情報またはパスワードの入力を要求してもよい。この場合、操作性は或る程度損なわれるが、セキュリティ上好ましい。
【０２７３】
以上が、本発明の実施の一形態に係る貨幣管理システムにおいて行われる貨幣管理装置２００での取出／収納操作時における出納機１００及び貨幣管理装置２００での担当者の操作手順である。
【０２７４】
図１９は、本発明の実施の一形態に係る貨幣管理システムにおいて行われる出納機１００及び貨幣管理装置２００での連携情報を含む各種情報処理の流れを模式的に表した説明図である。
【０２７５】
本発明の実施の一形態に係る貨幣管理システムにおける連携情報は、出納機１００の処理情報管理データベース４００に登録即ち記憶され、必要に応じて随時、更新される。
【０２７６】
例えば、本金庫の在庫から貨幣管理装置２００への資金移動を行う場合（ＳＴＥＰ６００）、出納機１００において、その入出金操作に関する連携情報が作成されて処理情報管理データベース４００に登録される（ＳＴＥＰ６０１）。そして、出納機１００は、その資金移動に伴う在高管理として、移動資金の金額を本金庫の在庫在高から減算し、手持ち在高の一部としての貨幣管理装置在高に加算する加減算を行う（ＳＴＥＰ６０２）。また、上記連携処理による資金移動を取引データとしても登録し（ＳＴＥＰ６０３）、出納機１００における処理が終了する（ＳＴＥＰ６０４）。
【０２７７】
当該連携情報に基づく入出金操作においては、貨幣管理装置２００では入金即ち収納処理が連携処理として行われることになる（ＳＴＥＰ６１０）。連携番号の入力が必要である場合、貨幣管理装置２００は、出納機１００からの前述のオープン要求を受信すると、それに応じて、当該連携情報を要求して取得し参照する（ＳＴＥＰ６１１の破線および実線）。
【０２７８】
連携番号の入力が不要な場合、出納機１００は、連携情報の作成後、その連携情報を貨幣管理装置２００へ送信する。このとき、オープン要求および連携情報の要求信号の送受信は実行されない。（ＳＴＥＰ６１１の実線）。
【０２７９】
そして、当該連携情報に基づいて、本金庫の在庫から移動されてきた資金（貨幣）の収納処理を実施すると（ＳＴＥＰ６１２）、貨幣管理装置２００において、当該連携情報について操作内容が完了した旨の更新記録が行われると共に（ＳＴＥＰ６１３）、更新記録された当該連携情報が通信回線を介して出納機１００に送信され、出納機１００の処理情報管理データベース４００上の当該連携情報も更新される。貨幣管理装置２００における連携処理は、更新記録された当該連携情報が出納機１００に送信されると、終了する（ＳＴＥＰ６１４）。
【０２８０】
図２０及び図２１は、本発明の実施の一形態に係る貨幣管理システムにおいて作成及び更新される連携情報の内容の例を示す説明図である。
【０２８１】
先ず、図２０（Ａ）は、出納機での処理が終了した状態であって貨幣管理装置では未処理の状態を示す連携情報の内容の例である。出納機１００において、出納機１００及び貨幣管理装置２００の入出金操作及び取出／収納操作が含まれる連携処理についての連携情報が作成及び登録され、かつ、出納機１００での入出金操作のみ完了し、貨幣管理装置２００での取出／収納操作は未処理の時点における当該連携情報の内容の例が示されている。出納機１００及び貨幣管理装置２００においてそれぞれ入出金操作及び取出／収納操作を行う金種の紙幣束数及び棒金本数が金種ごとに登録されており、出納機１００での入出金操作が行われた日時及び担当者番号が示されている。また、上部中央には、収納／取出が行われておらず、「未処理」の状態であることが示されている。
【０２８２】
また、図２０（Ｂ）は、出納機及び貨幣管理装置での連携処理が完了し且つ連携情報が更新された状態を示す連携情報の内容の例である。連携情報に登録された出納機１００及び貨幣管理装置２００における入出金操作がそれぞれ完了し、それらの入出金操作が行われた日時及び担当者番号が示されている。また、上部中央には、取出／収納処理済みであることが「済」として示されている。
【０２８３】
一方、図２１は、貨幣管理装置単体での処理、即ち、ローカル処理を実行するために作成された未処理状態のローカル処理情報の内容の例である。貨幣管理装置２００において、貨幣管理装置２００での取出／収納操作についてのローカル処理情報が作成及び登録され、貨幣管理装置２００での当該取出／収納操作のデータが出納機１００に送信されていることが表示されている。貨幣管理装置２００において取出／収納操作を行う金種の紙幣束数及び棒金本数が金種ごとに登録されており、貨幣管理装置２００においてローカル処理が行われた日時及び担当者番号が示されている。また、出納機１００における認証印字が終了していないことを、表示中の状態「未処理」が示している。
【０２８４】
これらの例を提示した上で、本発明の実施の一形態に係る貨幣管理システムにおける連携情報の作成及び更新の概略手順について説明する。
【０２８５】
実行しようとする入出金操作に出納機１００と貨幣管理装置２００との連携が必要である場合、手持ち在高として入力した在高データの一部又は全部を貨幣管理装置２００扱いの貨幣管理装置在高として貨幣管理装置取引データ、即ち、連携情報を、出納機１００において作成して登録する。
【０２８６】
貨幣の対象金種は、紙幣が万円、５千円、２千円、千円、硬貨が５００円、１００円、５０円、１０円、５円、１円とする。
【０２８７】
ここでは、貨幣管理装置２００においては、束／本、即ち、束紙幣と包装硬貨の棒金とが取扱い対象となり、バラ紙幣及びバラ硬貨は取扱い対象とならないものとし、紙幣の量は１００枚単位、硬貨の量は５０枚単位で取出／収納操作対象として連携情報に登録する。一例として、万円１３０枚、５００円９０枚の取出操作を登録する場合は、貨幣管理装置２００からの取出操作として万円１００枚、５００円５０枚を登録し、残余の万円３０枚、５００円４０枚は取出操作として登録されない。また、他の例として、５千円６０枚、千円５０枚の出金操作を登録する場合は、貨幣管理装置２００からの取出操作として登録可能な出金操作は「無し」となる。
【０２８８】
貨幣管理装置２００の操作「可」とされている担当者のみが、手持ち在高操作認証において「手持ち在高操作」又は「貨幣管理装置在高操作」の選択を行うことができるものとするとよい。貨幣管理装置２００の操作「不可」とされている担当者は、貨幣管理装置２００の操作「可」とされている他の担当者との連携処理として「貨幣管理装置在高操作」の登録を行うことにより、貨幣管理装置２００の入出金操作を行うことを可能とするとよい。
【０２８９】
連携番号の入力が必要である場合、出納機１００において、貨幣管理装置２００の取出／収納操作が含まれる連携処理の操作認証時に発行される認証伝票（レシート）は、当該連携情報に対応する連携番号が印刷される。一方、連携番号の入力が不要である場合、認証伝票は印刷されない。
【０２９０】
連携処理の操作認証時、即ち、連携情報の作成及び登録を行う際には、その時点で出納機１００に記憶されている貨幣管理装置在高をチェックし、操作認証しようとする入出金操作を行った結果として貨幣管理装置２００の容量を超えることがないかどうかを金種ごとに確認する。貨幣管理装置２００の容量を超える金種がある場合の取扱いの一例として、容量を超えることとなる金種の入出金操作は除外し、容量以内の金種の入出金操作のみに関して連携処理の操作認証を行い、連携情報の作成及び登録を行うとよい。
【０２９１】
例えば、貨幣管理装置２００の万円紙幣の容量が３００束、５００円硬貨の棒金の容量が３００本である場合に、万円紙幣の入金４５０束、５００円硬貨の棒金の入金１００本で連携処理の操作認証を行おうとしたとすると、万円紙幣の入金４５０束は連携処理の操作認証から除外され、５００円硬貨の棒金の入金１００本のみについて連携処理の操作認証が行われ、連携情報の作成及び登録が行われる。
【０２９２】
容量を超えるために連携処理の操作認証から除外される金種の収納／取出操作については、連携処理の操作認証の際の確認画面に表示して、他の金種の収納／取出操作のみについて連携処理の操作認証を行ってよいかどうかの確認入力を受け付ける。尚、貨幣管理装置２００の容量を超える金種があり、かつ、貨幣管理装置２００の操作「不可」とされている担当者によって連携処理の操作認証入力が行われている場合は、確認画面を表示することなく操作認証不可とする処理を続行するものとしてもよい。
【０２９３】
一方、連携番号の入力が不要である場合、連携処理の操作認証は省略されている。しかし、貨幣管理装置２００は、出納機１００から連携情報を既に受信しているので、貨幣管理装置２００は、収納／取出操作によって貨幣管理装置２００の容量を超えるか否かを金種ごとに確認することができる。貨幣管理装置２００の容量を超える金種がある場合、容量を超える金種の入出金操作を禁止し、その金種のドロアのロックを解除しない。容量以内の金種の入出金操作を許可し、その金種のドロアのロックを解除すればよい。
【０２９４】
例えば、貨幣管理装置２００の万円紙幣の容量が３００束、５００円硬貨の棒金の容量が３００本である場合に、万円紙幣の入金４５０束、５００円硬貨の棒金の入金１００本で連携処理の操作認証を行おうとしたとする。この場合、万円紙幣を収容するドロアのロックを解除せず、５００円硬貨の棒金を収容するドロアのみのロックを解除する。
【０２９５】
図２２は、出納機１００及び貨幣管理装置２００による連携処理を行う場合における出納機１００の画面表示例を示す説明図である。ここでは、貨幣管理装置２００への連携番号の入力の要否は、出納機１００および貨幣管理装置２００の設置時に既に選択されているものとする。即ち、連携番号の入力の要否は、出納機１００において初期設定されている。
【０２９６】
図２２（Ａ）は、出納機１００の表示画面構成を示している。処理名称、日付・日時、処理通番、担当者番号が表示されており、処理サブエリア、ガイダンス部、エラーメッセージ部、状態表示部が設けられている。
【０２９７】
図２２（Ｂ）は、担当者ＩＤの入力待ち状態を示している。ここで、担当者ＩＤが入力されると、図２２（Ｃ）に示すように、出納機１００において実行可能な操作が一覧表示されたメニュー選択画面が表示される。このメニュー選択画面において、ここでは「回収」を選択すると、次に、表示部１５ａは、取引先メニューを表示する。
【０２９８】
図２２（Ｄ）は、出納機１００と貨幣管理装置２００とが接続されている場合に表示部１５ａに表示される取引先メニューを示す。取引先は、出納機１００から貨幣を出金するときの移動先、あるいは、出納機１００へ貨幣を入金するときの移動元を示す。取引先メニューは、図２２（Ｃ）において選択された処理において貨幣の取引が可能な単数または複数の取引先を列挙したリストである。取引先メニューは、図２２（Ｃ）で選択された処理に応じて変更され得る。回収処理が選択された場合、図２２（Ｄ）に示すように、貨幣管理装置２００、出納機１００、手持ちがこの順番で取引先メニューとして表示されている。以下、貨幣管理装置２００が出納機１００に接続されている場合に表示される取引先メニューを第１の取引先メニューともよぶ（図２２（Ｄ））。
【０２９９】
出納機１００と貨幣管理装置２００とが接続されていない場合には、表示部１５ａは、図２３に示すように貨幣管理装置２００を表示せず、出納機１００および手持ちを表示する。貨幣管理装置２００が出納機１００に接続されていない場合に表示される取引先メニューを第２の取引先メニューとも呼ぶ（図２３）。
【０３００】
第１および第２の取引先メニューに表示させる取引先およびその取引先の表示の順番は、出納機１００の出荷時にデフォルトで既に設定されていてもよく、あるいは、出納機１００の設置時等の初期設定において設定されてもよい。例えば、初期設定で第１および第２の取引先メニューを設定する場合、操作者は、第１および第２の取引先メニューとして表示させる取引先をそれぞれ選択し、選択される可能性の高い順番にそれぞれ設定する。
【０３０１】
一旦、取引先メニューが設定されると、その後、出納機１００は、貨幣の処理ごとに、第１または第２の取引先メニューを表示すればよい。
【０３０２】
出納機１００と貨幣管理装置２００とが接続されているか否かは、図３の検知部１５ｊによって検知される。
【０３０３】
このように、本実施形態によれば、表示部１５ａは、出納機１００と貨幣管理装置２００との間の通信接続の有無に応じて異なる第１または第２の取引先メニューを表示する。貨幣管理装置２００が出納機１００に接続されている場合には、表示部１５ａは貨幣管理装置２００を含む第１の取引先メニューを表示し、貨幣管理装置２００が出納機１００に接続されていない場合には、表示部１５ａは貨幣管理装置２００を含まない第２の取引先メニューを表示する。これにより、操作者は、取引先を誤り無くかつ簡単に選択することができる。また、第１および第２の取引先メニューは、取引先として選択される可能性の高い順番に表示されている。従って、操作者は、先頭に表示された１番目の取引先を選択することが多い。これにより、取引先選択時の操作が容易になる。操作者は  キーボード１６を用いて、第１または第２の取引先メニューから特定の取引先を選択する。
【０３０４】
取引先が選択されると、出納機１００は、操作者の暗証番号入力を要求する。図２２（Ｅ）は、暗証番号の入力待ち状態を示している。正しい暗証番号が入力され、かつ、その操作者に「回収」の操作処理権限があれば処理が開始される。
【０３０５】
本実施形態では、連携番号の入力の要否は、出納機１００および貨幣管理装置２００の設置時に予め初期設定されている。この場合、操作者は、処理ごとに連携番号の入力の要否を選択する必要が無いので、貨幣管理システムの操作性をさらに向上させる。
【０３０６】
しかし、図２２（Ｃ）または図２２（Ｄ）に示すように、出納機１００の表示部１５ａは、処理メニュー又は取引先メニューの表示画面において、処理メニューまたは取引先メニューとともに連携番号の入力の要否を一画面に同時に表示してもよい。操作者は、キーボード１６を用いて、貨幣の処理や取引先を選択するとともに、連携番号の入力の要否を選択することができる。この場合、貨幣管理装置２００の操作が出納機１００の操作直後か否かによって、操作者が処理ごとに連携番号の入力の要否を選択することができる。例えば、出納機１００の操作直後に貨幣管理装置２００を操作する場合、複数の処理が重複することは無いので、操作者は、連携番号の入力を不要としてよい。一方、出納機１００の操作後、或る時間の経過後に貨幣管理装置２００を操作する場合、複数の処理が重複する可能性があるので、操作者は、連携番号の入力が必要であると選択する。このように、処理ごとに連携番号の入力の要否を選択することによって、操作者は、臨機応変な処理が可能となる。
【０３０７】
図２２（Ｃ）または図２２（Ｄ）の連携番号の入力の要否の選択メニューは、操作者が出納担当者のような上位権限者である場合にのみ表示させる。操作者がテラーのような下位権限者である場合、連携番号の入力を省略できないようにする。これにより、貨幣管理システムの操作性とセキュリティとの両立を図ることができる。
【０３０８】
連携番号の入力の要否の選択メニューは、図２２（Ｃ）および／または図２２（Ｄ）の両方またはいずれか一方に表示させてもよい。さらに、図２２（Ｄ）（または図２３）に示す取引先メニューは、図２２（Ｃ）に示す処理メニューと同一画面に同時に表示してもよい。
【０３０９】
尚、貨幣管理装置２００が出納機１００に接続されていない場合、連携番号の入力は、勿論、不要となるので、表示部１５ａは、図２３に示すように、連携番号の入力の要否の選択メニューを表示しない。
【０３１０】
図２２（Ｆ）及び図２２（Ｇ）に示すように、操作者は、回収処理の内容を入力する。図２２（Ｆ）の表示画面には、貨幣管理装置２００に回収する硬貨の棒金の本数が金種ごとに入力されており、図２２（Ｇ）の表示画面には、貨幣管理装置２００に回収する束紙幣の束数が金種ごとに入力されている。図２２（Ｆ）の表示画面と図２２（Ｇ）の表示画面とは、貨幣管理装置２００のキーボード式操作部２２６の「切替」キーを押下するたびに切り替わるものとするとよい。勿論、出納機１００は、棒金の本数および束紙幣の束数の両方を一画面に表示してもよい。
【０３１１】
図２２（Ｆ）及び図２２（Ｇ）の表示画面で回収処理の内容を確認したら、その確認の入力として「完了」キーを押下するものとする。これにより、実行しようとする処理内容が確定する。出納機１００は、図２２（Ｆ）および図２２（Ｇ）に示すように入力された貨幣を出金口から出金する。
【０３１２】
ここで、貨幣管理装置２００への連携番号の入力が必要であると選択されていた場合、出納機１００は、連携番号を含む連携情報を作成し、その連携情報を印字したレシートを発行する。一方、貨幣管理装置２００への連携番号の入力が不要であると選択されていた場合、出納機１００は、連携情報を作成するが、レシートの発行は行わない。貨幣管理装置２００が出納機１００に接続されていない場合にも出納機１００は、レシートの発行は行わない。
【０３１３】
本実施形態において、連携番号の入力の要否は、出納機１００および貨幣管理装置２００の設置時に予め初期設定されている。あるいは、図２２（Ｃ）または図２２（Ｄ）に示すように、処理メニューの選択画面に、連携番号の入力の要否の選択も表示させ、それにより、連携番号の入力の要否は、処理ごとに選択されている。
【０３１４】
しかし、図３に示すスイッチ１５ｈで連携番号の入力の要否を切り替える場合であっても、操作者は、処理ごとに連携番号の入力の要否を選択することができる。従って、スイッチ１５ｈで連携番号の入力の要否を切り替える場合であっても、上述の通り、操作者は、臨機応変な処理が可能となる。尚且つ、スイッチ１５ｈで連携番号の入力の要否を切り替える場合、必ずしも処理ごとに連携番号の入力の要否を選択する必要は無い。スイッチ１５ｈは、連携番号の入力の要否のいずれか一方（オン／オフの一方）に設定しておいてもよい。即ち、スイッチ１５ｈは、連携番号の入力の要否を初期設定することと同様の機能も有する。
【０３１５】
図２４及び図２５は、出納機１００及び貨幣管理装置２００による連携処理を行う場合における貨幣管理装置２００の画面表示例を示す説明図である。尚、貨幣管理装置２００における連携番号の入力が不要であると選択された場合、図２４（Ｂ）〜図２４（Ｅ）に示す表示は不要である。以下、図２４（Ｂ）〜図２４（Ｅ）の説明は、連携番号の入力が必要であることを前提としている。
【０３１６】
図２４（Ａ）は、貨幣管理装置２００の表示画面構成を示している。処理名称、日付・日時、処理通番、担当者番号が表示されており、処理サブエリア、ガイダンス部、エラーメッセージ部、状態表示部が設けられている。
【０３１７】
図２４（Ｂ）は、担当者ＩＤの入力待ち状態を示している。ここで、担当者ＩＤが入力されると、図２４（Ｃ）に示すように、貨幣管理装置２００において実行可能な操作が一覧表示されたメニュー選択画面が表示される。このメニュー選択画面において、ここでは「連携回収／装填」を選択すると、その操作担当者の暗証番号入力を要求する。図２４（Ｄ）は、暗証番号の入力待ち状態を示している。
【０３１８】
正しい暗証番号が入力され、かつ、その操作担当者に「連携回収／装填」の操作処理権限があれば処理が開始され、図２４（Ｅ）に示すように、連携番号入力待ち状態となる。連携番号が入力されると、貨幣管理装置２００は、入力された連携番号に対応する連携情報を出納機１００の処理情報管理データベース４００から取得する。入力された連携番号に対応する連携情報が存在しない場合、又は、入力された連携番号に対応する連携情報の回収／装填操作が処理済みである場合には、処理は実行しない。
【０３１９】
また、連携情報を取得した時点での貨幣管理装置在高をチェックし、連携情報の入出金操作を行った結果として貨幣管理装置２００の容量を超えることがないかどうかを金種ごとに確認する。貨幣管理装置２００の容量を超える金種がある場合は、エラーメッセージを表示するが、貨幣管理装置２００の容量を超える金種がない場合は、次の動作手順へ進む。
【０３２０】
尚、出納機１００の操作者が貨幣管理装置２００の操作権限を有する者であるならば、出納機１００での操作後直ちに貨幣管理装置２００の所在場所へ移動して、出納機１００からの前述の処理オープン要求を受信済みの操作を実行するであろうから、担当者ＩＤ入力、処理選択、暗証番号入力を総て省略して、連携番号入力待ち状態に遷移してもよい。
【０３２１】
入力された連携番号に対応する連携情報を取得したら、図２４（Ｆ）及び図２４（Ｇ）に示すように、当該連携情報の回収／装填操作の内容を表示する。図２４（Ｆ）の表示画面には、貨幣管理装置２００に回収する硬貨の棒金の本数が金種ごとに示されており、図２４（Ｇ）の表示画面には、貨幣管理装置２００に回収する束紙幣の束数が金種ごとに示されている。図２４（Ｆ）の表示画面と図２４（Ｇ）の表示画面とは、貨幣管理装置２００のキーボード式操作部２２６の「切替」キーを押下するたびに切り替わるものとするとよい。
【０３２２】
図２４（Ｆ）及び図２４（Ｇ）の表示画面で当該連携情報の回収／装填操作の内容を確認したら、ここでは、その確認の入力として「完了」キーを２度押下するものとする。これにより、実行しようとする処理内容が確定する。
【０３２３】
処理内容の確定に応じて、貨幣管理装置２００は回収／装填操作（ここでは回収処理）を実行することが可能な状態となる。即ち、指定金種の収納部のロックが解除され、図２４（Ｇ）の表示画面の中央下部には、回収／装填操作を実行可能な状態である旨が表示される。尚、複数の収納部のロックを解除する場合、各ロックの解除には優先順位を設定することができる。
【０３２４】
全指定金種の回収／装填操作が終了すると、図２４（Ｈ）に示すように、自動精査の実行待ち状態となる。尚、このとき、図２４（Ｈ）の表示画面の中央下部に示されているように、「その他収納部」に収納するものがある場合は、「訂正」キーを押下することにより「その他収納部」のロックを解除して収納を行うことができる。
【０３２５】
その後、「実行」キーを押下すると、自動精査が開始される。
【０３２６】
自動精査では、各金種の重量測定を行って、金種ごとの束紙幣の束数、棒金の本数を算出し、データ上の貨幣管理装置在高と比較し、一致すれば、正常に処理を終了して、メニュー選択画面又は待機画面の表示状態へ遷移する。尚、図２５（Ａ）は、自動精査実行中の画面表示例を示している。
【０３２７】
一方、自動精査の結果、在高不一致が発生すると、図２５（Ｂ）に示すように、各収納部ごとに精査結果の正常（ＯＫ）又は異常（ＮＧ）を表示する。ここで、「完了」キーを押下すると、図２５（Ｃ）及び図２５（Ｄ）に示すように、異常収納部の各金種の在高と重量測定結果とを表示する。図２５（Ｃ）の表示画面と図２５（Ｄ）の表示画面とは、「切替」キーを押下するたびに切り替わるものとするとよい。
【０３２８】
そして、図２５（Ｅ）及び図２５（Ｆ）の表示画面では、精査結果の異常（ＮＧ）が検出された各収納部を開けて目視による確認を促す表示を行っている。
【０３２９】
最後の図２５（Ｇ）の表示画面では、強制終了又は自動精査の再実行の選択待ち状態となっている。自動精査の再実行を選択すると、各金種の重量測定による自動精査（図２５（Ａ））からの処理を再度行う。一方、キーボード式操作部２２６を用いて強制終了を選択すると、承認者のＩＤ入力及び暗証番号入力を要求し、それらの入力に応じて処理を強制終了し、メニュー選択画面の表示状態へ遷移する。
【０３３０】
上述のように、貨幣管理装置２００における連携番号の入力が不要であると選択された場合、図２４（Ｂ）〜図２４（Ｅ）に示す表示は不要である。従って、図２４（Ｆ）および図２４（Ｇ）に示すように、貨幣管理装置２００は、回収処理される貨幣の入力画面から開示する。その後、図２４（Ｈ）〜図２５（Ｇ）に示す処理は、上述したとおりである。
【０３３１】
次に、貨幣管理装置２００単体でのローカル処理について説明する。ローカル処理では、図２４（Ｃ）の「２．収納」または「３．取出」等が選択される。「収納」は、「手持ち」から貨幣管理装置２００へ貨幣を収納することを示す。「取出」は、貨幣管理装置２００から「手持ち」へ貨幣を取り出すことを示す。
【０３３２】
先ず、ローカル処理を実行する前提としてのオープン処理を行う。即ち、担当者ＩＤ入力待ち状態となっている貨幣管理装置２００に担当者ＩＤを入力すると、貨幣管理装置２００において実行可能な操作が一覧表示されたメニュー選択画面に遷移する。
【０３３３】
メニュー選択画面において、ここでは「収納」を選択すると、その操作担当者の暗証番号入力を要求する。正しい暗証番号が入力され、かつ、その操作担当者に「収納」の操作処理権限があれば処理が開始される。
【０３３４】
先ず、収納しようとする貨幣の合計金額を入力すると共に、金種を選択して、収納しようとする束紙幣の束数、棒金の本数を入力する。そして、その時点での貨幣管理装置在高をチェックし、入力した収納操作を行った結果として貨幣管理装置２００の容量を超えることがないかどうかを金種ごとに確認する。貨幣管理装置２００の容量を超える金種がある場合は、処理入力を受け付けずに、エラーメッセージを表示する。
【０３３５】
貨幣管理装置２００の容量を超える金種がない場合は、「完了」キーの押下を要求し、「完了」キーが押下されると、合計金額入力設定時には、設定された合計金額と各金種の束数及び本数の合計金額とが一致するか否かを確認し、不一致の場合は「完了」を受け付けずに、エラーメッセージを表示する。金額が一致する場合は、再度「完了」キーの押下を要求し、「完了」キーが押下されると、処理受付を確定し、次の動作手順へ進む。
【０３３６】
処理受付の確定に応じて、貨幣管理装置２００は取出／収納操作（ここでは収納処理）を実行することが可能な状態となる。即ち、指定金種の収納部のロックが解除され、表示画面には、取出／収納操作を実行可能な状態である旨が表示される。尚、複数の収納部のロックを解除する場合、各ロックの解除には優先順位を設定することができる。
【０３３７】
全指定金種の取出／収納操作（ここでは収納処理）が終了すると、貨幣管理装置２００は、自動精査の実行待ち状態となる。尚、このとき、「その他収納部」に収納するものがある場合は、「訂正」キーを押下することにより「その他収納部」のロックを解除して収納を行うことができる。その後、「実行」キーを押下すると、自動精査が開始される。
【０３３８】
自動精査では、各金種の重量測定を行って、金種ごとの束紙幣の束数、棒金の本数を算出し、データ上の貨幣管理装置在高と比較し、一致すれば、正常に処理を終了して、メニュー選択画面又は待機画面の表示状態へ遷移する。
【０３３９】
一方、自動精査の結果、在高不一致が発生すると、各収納部ごとに精査結果の正常（ＯＫ）又は異常（ＮＧ）を表示画面に表示する。ここで、「完了」キーを押下すると、異常収納部の各金種の在高と重量測定結果とを表示する。結果表示画面が複数に亘る場合、各表示画面は、「切替」キーを押下するたびに切り替わるものとするとよい。
【０３４０】
そして、精査結果の異常（ＮＧ）が検出された各収納部を開けて目視による確認を促す表示を行い、最後は、強制終了又は自動精査の再実行の選択待ち状態となる。自動精査の再実行を選択すると、各金種の重量測定による自動精査からの処理を再度行う。一方、強制終了を選択すると、承認者のＩＤ入力及び暗証番号入力を要求し、それらの入力に応じて処理を強制終了し、メニュー選択画面の表示状態へ遷移する。
【０３４１】
次に、本発明の実施の一形態に係る貨幣管理システムにおける違算追跡の手順について説明する。ここでいう違算とは、出納機１００で処理の登録を行ったが、貨幣管理装置２００では当該処理が終了していないものがあることをいう。
【０３４２】
違算追跡では、貨幣管理装置２００の簡略合計に基づき、連携処理について貨幣管理装置２００での取引集計結果と出納機１００での取引集計結果とが整合しているか否か、即ち、未処理の連携情報が無いかどうかを確認する。
【０３４３】
図２６は、貨幣管理装置２００のメニュー選択画面表示例を示す説明図である。違算追跡を行う際には、先ず、このメニュー選択画面で「１２．貨幣管理装置簡略合計」を選択する。
【０３４４】
図２７は、貨幣管理装置２００から取得した簡略合計のデータ内容の例と出納機が管理している連携情報から計算した取引集計結果の内容の例とを示す説明図である。
【０３４５】
貨幣管理装置２００から取得した簡略合計のデータ内容の例には、連携収納（入金）の合計金額（１）と連携取出（出金）の合計金額（２）とが含まれている。
【０３４６】
出納機が管理している連携情報から計算した取引集計結果の内容の例には、在庫（本金庫在高）から貨幣管理装置への資金移動の処理済金額（３）と、手持ち資金（手持ち在高）から貨幣管理装置への資金収納の処理済金額（４）と、貨幣管理装置における手入力収納の処理済金額（５）と、貨幣管理装置から在庫（本金庫在高）への資金移動の処理済金額（６）と、貨幣管理装置から手持ち資金（手持ち在高）への資金取出の処理済金額（７）と、貨幣管理装置における手入力取出の処理済金額（８）とが含まれている。
【０３４７】
貨幣管理装置２００から取得した簡略合計のデータ内容と出納機が管理している連携情報から計算した取引集計結果の内容とを比較照合することにより、両者が整合しているか否か、即ち、総ての連携処理が処理済みであるか否かを確認する。
【０３４８】
総ての連携処理が処理済みであれば、「（１）＝（３）＋（４）＋（５）」及び「（２）＝（６）＋（７）＋（８）」の両式が成立する。
【０３４９】
上記両式の一方又は双方が成立しない場合は、未処理の連携処理が存在することを意味するので、貨幣管理装置２００の取引履歴照会により、どの連携番号の連携情報の入出金操作が未処理状態であるのかをチェックし、必要に応じて、貨幣管理装置２００における入出金操作即ち収納／取出処理を実施する。
【０３５０】
図２８は、貨幣管理装置２００の取引履歴照会により未処理チェックを行う際の画面表示例を示す説明図である。
【０３５１】
図２８（Ａ）に示すメニュー選択画面で「４．貨幣管理装置取引履歴照会」を選択すると、貨幣管理装置の取引履歴照会が行われ、図２８（Ｂ）に示す貨幣管理装置の取引履歴照会画面が表示される。
【０３５２】
図２８（Ｂ）の取引履歴照会画面から、「１」の連携番号１２３４の収納処理は未処理であることが分かる。また、「３」の収納処理も未処理だが、連携番号が付されていない。この「３」の収納処理の処理情報は、貨幣管理装置２００単体のローカル処理に関するローカル処理情報であって、収納処理自体は終了しており、ローカル処理情報の出納機１００への通知も完了しているが、出納機１００における当該ローカル処理情報の認証印字が未完了であることを示している。この「３」の収納処理では、出納機１００での認証印字が行われると、未処理が済となる。また、「４」の連携番号４５９の取出処理も未処理だが、手持ち資金に関する処理であるため、出納機１００との間での連携対象ではないことが分かる。また、その他の貨幣移動（取出／収納）処理は、総て処理済みであることが分かる。
【０３５３】
従って、貨幣管理装置２００において実施しなければならない貨幣移動処理は、「１」の連携番号１２３４の連携処理であるということが分かるので、当該連携処理を実施すると共に、送受信が未完了であった連携情報を出納機１００と貨幣管理装置２００との間で送受信することにより、違算状態が解消することとなる。
【０３５４】
以上に説明したように、本発明の実施の一形態に係る貨幣管理装置２００は、通信回線を接続解除することにより任意の場所に移動して使用することができる。出納機１００及び貨幣管理装置２００が関係する入出金操作に関する連携情報を、通信回線を接続した際に出納機１００と貨幣管理装置２００との間で送受信することにより、出納機１００は、在庫在高、機械在高及びポスト在高に加えて、貨幣管理装置在高を含む手持ち在高についても正確な在高管理を行うことができ、銀行等の金融機関店舗全体の在高を漏れなく一元的に正確に管理することができる。従って、締め精査時にも手計算の手間を省くことができ、低コストな業務運営を実現することができる。
【０３５５】
出納機１００と貨幣管理装置２００とは、要所要所で通信回線を介して相互に接続し連携情報を送受信するので、出納機１００はその都度連携情報を最新の情報に更新して正確な連携処理状況管理及び関連在高管理を行うことができる。尚、上記実施の一形態では、貨幣管理装置２００から送信された連携情報は、出納機１００のハードディスクドライブ１５ｇ等の記憶装置に記憶されるものとしている。しかし、記憶装置に記憶せずに出納機１００が貨幣管理装置２００に問い合わせを行ったときのみ、貨幣管理装置２００が保持している連携情報を利用するようにしてもよい。
【０３５６】
貨幣管理装置２００において、ＩＤ情報のみ、又は、ＩＤ情報と暗証番号若しくはパスワードを入力するようにして連携番号の入力を省略可能とし、ＩＤ情報の入力に応じて、当該担当者が関係する連携情報が一覧表示されるようにした場合、連携番号が印字された認証伝票を紛失しないように注意したり、連携番号を記憶しておく必要がないので便利である。その場合に、貨幣管理装置２００におけるいくつかの連携処理が処理待ち状態になっていたり出納機１００における処理順序と異なる順序で実行されたりするときでも、ＩＤカードを通す等によりＩＤ情報を入力するだけで自己が関係する連携情報が一覧表示されるので、操作が簡便である。同一ＩＤ情報に対応する複数の連携番号及び連携情報がある場合、各連携番号及び連携情報の金額表示や出納機１００での登録時刻又は処理時刻の表示があれば、処理の選択は容易に行うことができる。
【０３５７】
また、出納機１００と貨幣管理装置２００とにおける対応する貨幣移動処理を連携情報により管理することによって、一つの連携情報に設定された出納機１００における入出金処理と貨幣管理装置２００における回収／装填処理とを別個の操作担当者が実行することも可能なので非常に便利である。出納機１００及び貨幣管理装置２００における対応する貨幣移動処理の両方を一人の操作担当者が実行する場合と比較して、両方の貨幣移動処理が完了するまでの時間を大幅に短縮することが可能である。極端な場合、両方の貨幣移動処理をほぼ同時に完了させることもできる。
【０３５８】
（貨幣管理装置２００に収納された貨幣の全回収処理）
貨幣管理装置２００に収納された貨幣を全て操作者の手持ちとして回収するオペレーション（以下、全回収処理という）について説明する。
【０３５９】
全回収処理では、通常、次のような処理が考えられる。操作者は、貨幣管理装置２００に収納されている貨幣の在高を確認し、その在高をメモ等に控えておく。そして、操作者は、出納機１００において貨幣管理装置２００から手持ちへの取出し処理を選択し、貨幣管理装置２００の在高を手打ちで入力する。出納機１００は、手打ちで入力された在高に従って処理キューを作成し、その処理キューを貨幣管理装置２００へ送信する。操作者は、貨幣管理装置２００に収納されている貨幣を全部回収する。
【０３６０】
しかし、このような処理では、操作者が貨幣管理装置２００の在高を控え、その在高を出納機１００へ手打ちで入力するため、操作者の手間が多く、かつ、操作者による入力ミスが生じるおそれがある。
【０３６１】
そこで、以下、新規な全回収処理を提案する。
【０３６２】
図２９は、本実施形態における全回収処理の流れを示すフロー図である。まず、操作者は、出納機１００にＩＤ情報を入力し、ログインする（ＳＴＥＰ１０３）。操作者がログインすると、出納機１００は、表示部１５ａに処理メニューを表示する。操作者は、処理メニューから「全回収処理」を選択する（ＳＴＥＰ１１３）。「全回収処理」が選択されると、貨幣管理装置２００には、図２４（Ｂ）が表示され、ＩＤ情報を入力すると処理メニュー（Ｃ）が表示される。尚、全回収処理の場合、貨幣が回収される取引先は、「手持ち」のみであるので、取引先メニューは表示させる必要は無い。この場合、出納機１００は、「手持ち」を自動で取引先に設定してよい。
【０３６３】
全回収処理が選択されると、出納機１００は、貨幣管理装置２００に収納された貨幣の在高を確認するために在高要求信号を貨幣管理装置２００へ送信する（ＳＴＥＰ１２３）。在高要求信号は、貨幣管理装置２００に収納された貨幣の在高の情報を要求する信号である。
【０３６４】
在高要求信号を受信した貨幣管理装置２００は、貨幣管理装置２００に収納された貨幣の在高の情報を出納機１００へ送信する（ＳＴＥＰ２０２）。尚、このときＩＤ情報の検証は実行しない。この時点では、貨幣の移動は無く、出納機１００と貨幣管理装置２００との間において貨幣管理装置の在高情報が送受信されるだけだからである。
【０３６５】
出納機１００は、貨幣管理装置２００の在高情報を受信し、この在高情報を図１５に示す貨幣管理装置在高４Ｘに反映し、かつ、全回収処理の明細にも反映する（ＳＴＥＰ１３３）。
【０３６６】
図３０は、全回収処理の明細の一例を示す概念図である。この明細は、出納機１００の表示部１５ａに表示され、貨幣管理装置２００に収納された全ての貨幣の金種および束数／本数の情報を含む。また、この明細は、操作者のＩＤ情報および連携番号の情報を含んでいてもよい。尚、図３０では、金額についても、金種ごとに表示しているが、金額については、回収される金種および束数／本数から簡単に算出されるものであるので、表示を省略してもよい。また、バラ紙幣およびバラ貨幣については、枚数で表示する。
【０３６７】
図２９を再度参照する。操作者は、全回収処理の明細を確認後、出納機１００の完了ボタンを押す。操作者が貨幣管理装置２００への連携番号の入力を必要であると選択した場合（ＳＴＥＰ１３８のＹＥＳ）、出納機１００は、貨幣管理装置２００の在高情報を含む明細をレシートして発行する（ＳＴＥＰ１４３）。
【０３６８】
操作者は、出納機１００から発行されたレシートを持って、貨幣管理装置２００において全回収処理の手続を行う。このとき、ＳＴＥＰ２０３、ＳＴＥＰ２１３、ＳＴＥＰ２２３、ＳＴＥＰ２３３およびＳＴＥＰ２５３の各動作は、図１２に示すＳＴＥＰ２００、ＳＴＥＰ２１０、ＳＴＥＰ２２０、ＳＴＥＰ２３０およびＳＴＥＰ２５０の各動作と同様である。また、ＳＴＥＰ１５３、ＳＴＥＰ１６７、ＳＴＥＰ１６９、ＳＴＥＰ１７３およびＳＴＥＰ１８３の各動作は、図１２に示すＳＴＥＰ１５０、ＳＴＥＰ１６０、ＳＴＥＰ１６２，ＳＴＥＰ１６４、ＳＴＥＰ１７０およびＳＴＥＰ１８０の各動作と同様である。従って、それらの詳細な説明を省略する。
【０３６９】
ＳＴＥＰ１３８において、操作者が貨幣管理装置２００への連携番号の入力を不要であると選択した場合（ＳＴＥＰ１３８のＮＯ）、操作者が出納機１００の完了ボタンを押した後、出納機１００は、処理キューを貨幣管理装置２００へ送信する（ＳＴＥＰ１６７）。連携番号の入力が不要であるので、レシートは発行されない。
【０３７０】
その後、出納機１００は、ＳＴＥＰ１７３〜ＳＴＥＰ１８３を実行し、貨幣管理装置２００は、ＳＴＥＰ２３３〜ＳＴＥＰ２５３を実行する。従って、出納機１００では、ＳＴＥＰ１４３〜ＳＴＥＰ１６９が省略され、貨幣管理装置２００では、ＳＴＥＰ２０３〜ＳＴＥＰ２２３が省略される。
【０３７１】
尚、連携番号の入力を不要であると選択した場合（ＳＴＥＰ１３８のＮＯ）、処理キューは、連携番号の情報を含まなくてもよい。
【０３７２】
貨幣管理装置２００が処理キューを取得した後、操作者は、貨幣管理装置２００内の全貨幣を回収し、手持ちとして管理する（ＳＴＥＰ２４３）。このとき、貨幣管理装置２００は、その内部に貨幣の残りが無いことを検証する（ＳＴＥＰ２４３）。より詳細には、貨幣管理装置２００は、収納ドロア２１１〜２１４が閉じられたことをトリガーとして自動精査を開始する。自動精査では、各金種の重量測定を行って、全金種の貨幣が無いことを確認する。
【０３７３】
もし、いずれかの金種に残金がある場合、貨幣管理装置２００は、表示部２２７にエラー表示をする。表示部２２７は、エラー表示とともに、まだ貨幣管理装置２００内に残っている貨幣の金種、および、束数／本数を表示する。このとき、貨幣管理装置２００は、再度、収納ドロア２１１〜２１４を自動で開けてもよい。操作者は、貨幣管理装置２００の内部から全貨幣を回収する。
【０３７４】
ＳＴＥＰ１８３、ＳＴＥＰ２５３において、在高が更新されると、貨幣管理装置２００に収納されていた貨幣の在高は、すべて手持ち在高に加算される。そして、貨幣管理装置在高はゼロとなる。
【０３７５】
本実施形態による全回収処理では、操作者が前回種処理を選択すると、出納機１００と貨幣管理装置２００との間で貨幣管理装置在高を自動的に更新し、出納機１００は正確な貨幣管理装置在高を取得することができる。これにより、出納機１００は、更新後の貨幣管理装置在高に基づいて連携情報を作成することができる。その結果、操作者が貨幣管理装置２００の在高を控える必要も無く、その在高を出納機１００へ手打ちで入力する必要も無くなる。従って、操作者の手間を省くことができ、かつ、操作者による入力ミスを防止できる。
【０３７６】
全回収処理であっても、連携番号の入力が不要であることを選択することができる。これにより、操作者が連携番号を貨幣管理装置２００に入力する手間が省け、操作性を向上させることができる。
【０３７７】
（出納機１００および貨幣管理装置２００のデータクリア処理）
データクリア処理は、出納機１００、貨幣管理装置２００、手持ちおよび在庫の各在高を定期的（例えば、１日ごと）に確定する処理である。データクリア処理は、所謂、締め作業である。
【０３７８】
通常、データクリア処理では、出納機１００において、操作者は、出納機１００に収納されている貨幣の在高および処理を確認し、その日の在高および勘定を確定する。このとき、貨幣管理装置在高のデータが、実際に貨幣管理装置２００に収納されている貨幣の残額と相違する場合（在高不定の場合）であっても、出納機１００は、データクリア処理を実行することが可能である。
【０３７９】
しかし、貨幣管理装置２００において在高不定のまま、出納機１００がデータクリア処理を実行してしまうと、不正確な処理が見過ごされてしまうおそれがある。
【０３８０】
そこで、以下、新規なデータクリア処理を提案する。
【０３８１】
図３１は、本実施形態におけるデータクリア処理の流れを示すフロー図である。まず、操作者は、出納機１００にＩＤ情報を入力し、ログインする（ＳＴＥＰ１０４）。操作者がログインすると、出納機１００は、表示部１５ａに処理メニューを表示し、操作者は、処理メニューから「データクリア」を選択する（ＳＴＥＰ１１４）。「データクリア」が選択されると、貨幣管理装置２００には、図２４（Ｂ）が表示され、ＩＤ情報を入力すると処理メニュー（Ｃ）が表示される。そして、図２４（Ｃ）に示す処理メニューの「データクリア」を選択する。
【０３８２】
データクリアが選択されると、出納機１００は、貨幣管理装置２００がデータクリア可能な状態にあるか否かを確認するために、状態データ要求を送信する（ＳＴＥＰ１２４）。データクリア可能な状態とは、貨幣管理装置２００の在高が検知できる状態、貨幣管理装置２００が使用中でない状態、出納機１００が管理されている状態等の状態である。従って、状態データ要求を受信した貨幣管理装置２００は、上記の条件を元にデータクリア可能な状態であるという情報を状態データとして出納機１００へ送信する（ＳＴＥＰ２０４）。
【０３８３】
出納機１００は、貨幣管理装置２００の状態データを受信し（ＳＴＥＰ１３４）、その状態データに基づいて貨幣管理装置２００がデータクリア可能な状態にあるか否かをチェックする（ＳＴＥＰ１４４）。
【０３８４】
貨幣管理装置２００がデータクリア可能な状態に無い場合（ＳＴＥＰ１４４のＮＯ）、出納機１００は、貨幣管理装置２００のデータクリアが不可能な状態にある旨を表示部１５ａに表示する（ＳＴＥＰ１３５）。
【０３８５】
操作者は、貨幣管理装置２００においてその要因を調査する（ＳＴＥＰ２１４）。このとき、操作者は、必要に応じて、貨幣管理装置２００へログインする。操作者は、原因に対処した後に貨幣管理装置において完了ボタンを押すと、再度、ＳＴＥＰ１２４およびＳＴＥＰ２０６を実行する。これにより、出納機１００は、更新された状態データを取得することができる。そして、出納機１００は、更新された状態データに基づいて貨幣管理装置２００がデータクリア可能な状態にあるか否かをチェックする（ＳＴＥＰ１４４）。
【０３８６】
貨幣管理装置２００においてデータクリアができない原因が不明な場合、操作者は、貨幣管理装置２００内の貨幣の重量を測定するロードセル２６１のスイッチを切り、あるいは、貨幣管理装置２００と出納機１００との接続を切り離す。これにより、貨幣管理装置２００においてデータクリアが不可能であっても、出納機１００は、出納機自身のデータクリア処理を続行することができる。
【０３８７】
貨幣管理装置２００がデータクリア可能な状態にある場合（ＳＴＥＰ１４４のＹＥＳ）、出納機１００は、貨幣管理装置２００に収納された貨幣の在高データを要求するために在高要求を貨幣管理装置２００へ送信する（ＳＴＥＰ１４４）。貨幣管理装置２００は、在高要求を受信すると、自己の在高データを出納機１００へ送信する（ＳＴＥＰ２２４）。
【０３８８】
出納機１００は、貨幣管理装置２００の在高データを受け取ると、クリアチェックを実行する（ＳＴＥＰ１５４）。クリアチェックは、例えば、機械在高１、ポスト在高２、貨幣管理装置在高４Ｘの残置限度額のチェック、および、未処理の処理キュー（連携情報）のチェック等である。もし、データクリアができない場合（ＳＴＥＰ１５４）、例えば、いずれかの在高が残置限度額よりも少ない場合、出納機１００は、データクリアが不可能であることを表示部１５ａに表示する（ＳＴＥＰ１５５）。操作者は、これに対処するために、出納機１００または貨幣管理装置２００の収納庫へ貨幣を補充する（ＳＴＥＰ１５７）。補充する貨幣は、本金庫または手持ちから取り出す。また、未処理の処理キューが出納機１００に残っている場合、その未処理の処理キューを処理済にするために、上述した収納処理、取出処理、装填処理、回収処理等を実行する。この場合、在高が変更されるので、出納機１００は、貨幣管理装置２００の在高を再度要求する（ＳＴＥＰ１４４）。そして、出納機１００は、更新された在高データに基づいてデータクリア可能な状態にあるか否かを再度チェックする（ＳＴＥＰ１５４）。
【０３８９】
依然としてデータクリアが可能にならない場合、操作者は、データクリア処理を終了してよい。あるいは、例えば、テラーのような管理者が、ＳＴＥＰ１５４において強制的にデータクリア可能にしてもよい。
【０３９０】
データクリア処理が可能な場合（ＳＴＥＰ１５４のＹＥＳ）、出納機１００は、データクリア要求を貨幣管理装置２００へ送信する（ＳＴＥＰ１６２）。出納機１００は、データクリア要求を送信するとともに、自らもデータクリアを開始する（ＳＴＥＰ１７２）。貨幣管理装置２００は、データクリア要求を受信すると、データクリア処理を実行する（ＳＴＥＰ２３４）。これにより、貨幣管理装置２００では、その日における在高を確定することができる。
【０３９１】
出納機１００は、データクリア処理において貨幣管理装置２００のジャーナルファイルを要求する。貨幣管理装置２００は、ジャーナルファイル要求に応じて、ジャーナルファイルを送信する。ジャーナルファイルは、その日に実行された貨幣の移動を伴う全ての処理（収納処理、取出処理、回収処理、装填処理等）のログ情報であり、各処理の実行された日時、移動させた貨幣の金種、束数／本数、操作者のＩＤ情報等を含む。
【０３９２】
出納機１００は、貨幣管理装置２００からジャーナルファイルを取得し、それをＲＡＭ１５ｅに格納する。これにより、出納機１００が、その日の貨幣管理装置２００の全ての情報を一元管理することができる。
【０３９３】
その後、出納機１００は、翌営業日の確認をする（ＳＴＥＰ１９４）。より詳細には、翌営業日の日付の設定を行う。もし、休日を挟む場合は次の営業日の設定を行う。
【０３９４】
これにより、出納機１００は、出納機１００自身のデータクリア処理だけでなく、貨幣管理装置２００のデータクリア処理も実行することができる。その結果、貨幣管理装置２００が在高不定のまま、データクリア処理が実行されることを防止し、不正確な処理を見過ごす事態を抑制することができる。
【０３９５】
以上の実施形態では、出納機１００が、連携情報を特定又は認証するために、第１の連携認証情報と第２の連携認証情報とを比較していた。しかし、連携情報を特定又は認証は、貨幣管理装置２００側で行ってもよい。
【０３９６】
例えば、貨幣管理装置２００は、連携番号（第１の連携認証情報）を含む連携情報を出納機１００から受信する。連携番号（第２の連携認証情報）の入力が必要である場合、貨幣管理装置２００は、操作者に連携番号（第２の連携認証情報）の入力を要求する。連携番号（第２の連携認証情報）が操作部２２６から入力されると、貨幣管理装置２００の制御部２２５ｃが出納機１００から得た連携番号（第１の連携認証情報）と操作者が入力した連携番号（第２の連携認証情報）とを比較する。制御部２２５ｃは、第１の連携認証情報と第２の連携認証情報とが一致した場合に、貨幣管理装置２００に対する貨幣の出し入れ処理を許可する。操作者は、連携情報に基づいて貨幣の出し入れを行う。
【０３９７】
もし、第１の連携認証情報と第２の連携認証情報とが一致しない場合、貨幣管理装置２００は、第１の連携認証情報と第２の連携認証情報とが一致しないことを示す信号を出納機１００へ送信する。この信号を受けた出納機１００は、他の未処理の連携情報を貨幣管理装置２００へ送る。尚、出納機１００は、未処理の連携情報が複数ある場合には、その全てを予め貨幣管理装置２００へ送ってもよい。これにより、貨幣管理装置２００は、第１の連携認証情報と第２の連携認証情報とが一致しないことを示す信号を出納機１００へ送信する必要が無くなる。
【０３９８】
第２の連携認証情報の入力が不要である場合、貨幣管理装置２００は、操作者に連携番号の入力を要求しない。制御部２２５ｃは、第２の連携認証情報の入力無しに、貨幣管理装置２００に対する貨幣の処理を許可する。操作者は、連携情報に基づいて貨幣の出し入れを行う。
【０３９９】
このように、貨幣管理装置２００が、連携情報の特定および認証を行ってもよい。この場合でも、上記実施形態の効果は失われない。
【０４００】
更に、本実施の形態によると、連携番号の入力が必要な場合、連携番号をレシートに印字し、操作者はその内容を見て貨幣管理装置２００に入力を行うようにしたが、出納機１００で連携番号を印字せずに表示のみ行い、操作者はその連携番号を記憶して貨幣管理装置２００に入力するようにしても構わない。
【０４０１】
（第２の実施形態）
第１の実施形態では、出納機１００は、第１および第２の取引先メニューとして取引可能な総ての取引先を表示していた。しかし、第２の実施形態による出納機１００は、取引先として選択される可能性の高い特定の取引先のみを最初に優先的に表示する。そして、表示された取引先を変更する場合には、出納機１００は、次に優先される他の取引先を表示する。つまり、取引先に優先順位を付け、出納機１００は、この優先順位の順番に取引先を表示部１５ａに順次表示させる。取引先の優先順位は、出納機１００の初期設定時に初期設定メニューにおいて設定され得る。第２の実施形態のその他の動作および構成は、第１の実施形態のそれらと同様でよい。
【０４０２】
図３２（Ａ）および図３２（Ｂ）は、初期設定メニューを表示する出納機１００の表示画面である。初期設定メニューは、表示部１５ａに表示させる優先順位を予め設定するために複数の取引先を含む。初期設定メニューは、出納機１００および貨幣管理装置２００の設置時等の初期設定において表示され得る。
【０４０３】
図３２（Ａ）は、出納機１００と貨幣管理装置２００とが接続されている場合のための初期設定メニューであり、図３２（Ｂ）は、出納機１００と貨幣管理装置２００とが切断されている場合のための初期設定メニューである。操作者は、貨幣の処理時に出納機１００と貨幣管理装置２００とが接続されている場合と貨幣の処理時に出納機１００と貨幣管理装置２００とが切断されている場合の取引先の優先順位をそれぞれ予め設定する。
【０４０４】
図３２（Ａ）に示すように、出納機１００と貨幣管理装置２００とが接続されている場合のための初期設定メニューは、貨幣管理装置２００を含む。これにより、操作者は、貨幣管理装置２００を含む取引先の優先順位を設定することができる。
【０４０５】
図３２（Ｂ）に示すように、出納機１００と貨幣管理装置２００とが切断されている場合のための初期設定メニューは、貨幣管理装置２００を含まない。これにより、操作者は、貨幣管理装置２００以外の取引先の優先順位を設定することができる。
【０４０６】
例えば、図３２（Ａ）を参照して、操作者は、「１．貨幣管理装置」、「２．出納機」、「３．手持ち」の順番に優先順位を設定する。さらに、図３２（Ｂ）を参照して、操作者は、「１．出納機」、「２．手持ち」の順番に優先順位を設定する。
【０４０７】
取引先メニューは、各種の処理（入金、出金、回収、装填）についてそれぞれ初期設定してよい。この場合、初期設定メニューは、出納機１００と貨幣管理装置２００との接続の有無についてだけでなく、処理の種類ごとにも設けられていてよい。
【０４０８】
初期設定後、実際に貨幣が処理されるときには、出納機１００は、初期設定に従って取引先メニューを表示する。例えば、図３３（Ａ）および図３３（Ｂ）は、貨幣の処理時において、表示部１５ａに表示される取引先メニューを示す。図３３（Ａ）は、出納機１００と貨幣管理装置２００とが接続されている場合に表示部１５ａに表示される取引先メニューであり、図３３（Ｂ）は、出納機１００と貨幣管理装置２００とが切断されている場合に表示部１５ａに表示される取引先メニューである。
【０４０９】
図３３（Ａ）および図３３（Ｂ）は、それぞれ図２２（Ｄ）および図２３に代わって第１および第２の取引先メニューとして表示部１５ａに表示され得る。
【０４１０】
貨幣管理装置２００が出納機１００に接続されている場合、図３３（Ａ）に示す第１の取引先メニューは、当初、取引先として選択される可能性の高い貨幣管理装置２００のみを優先的に表示している。これにより、操作者は、貨幣管理装置２００を容易に選択することができる。
【０４１１】
貨幣管理装置２００以外の取引先に変更する場合、操作者は、＜変更＞をクリックすることによって次に優先される取引先を表示部１５ａに表示させる。例えば、＜変更＞がクリックされると、「出納機」が表示される。さらに、再度、＜変更＞がクリックされると、「手持ち」が表示される。このように、表示部１５ａは、取引先の優先順位に従って、順次取引先を表示する。
【０４１２】
貨幣管理装置２００が出納機１００に切断されている場合、図３３（Ｂ）に示す第２の取引先メニューは、当初、取引先として選択される可能性の高い出納機１００のみを優先的に表示している。これにより、操作者は、出納機１００を容易に選択することができる。
【０４１３】
出納機１００以外の取引先に変更する場合、操作者は、＜変更＞をクリックすることによって次に優先される取引先を表示する。例えば、＜変更＞がクリックされると、「手持ち」が表示される。このように、表示部１５ａは、取引先の優先順位に従って、順次取引先を表示する。
【０４１４】
このように、出納機１００は、その初期設定時に出納機１００は、取引先として選択される可能性の高い順番に取引先を優先的に表示することができる。また、表示部１５ａは、優先順位の高い順番に取引先を１つずつ表示させる。これにより、操作者は最初に表示された取引先を高い確率で選択する。従って、出納機１００の操作性が向上する。
【０４１５】
また、上述のように、初期設定メニューは、出納機１００と貨幣管理装置２００との接続の有無だけでなく、処理の種類ごとに設けることができる。これにより、出納機１００と貨幣管理装置２００との接続だけでなく、貨幣の処理のそれぞれに対して、取引先の優先順位を設定することができる。これにより、出納機１００の操作性がさらに向上する。
【０４１６】
（第３の実施形態）
第３の実施形態による出納機１００は、処理される貨幣が包装貨幣または束紙幣を含むか否かによって取引先メニューを変更する。第３の実施形態のその他の動作および構成は、第１の実施形態の動作および構成と同様でよい。包装貨幣は、複数の硬貨を包装して形成される、所謂、棒金である。束紙幣は、複数の紙幣を結束した紙幣の束である。
【０４１７】
通常、包装貨幣または束紙幣は、貨幣管理装置２００に回収され、あるいは、貨幣管理装置２００から補充されることが多い。従って、処理される貨幣に包装貨幣または束紙幣が含まれる場合、取引先は、貨幣管理装置２００である場合が多い。そこで、第３の実施形態では、処理される貨幣に包装貨幣または束紙幣が含まれるか否かによって取引先メニューを変更する。
【０４１８】
例えば、図２２（Ｆ）および図２２（Ｇ）を参照して上述したように、操作者は、処理される貨幣の情報を入力する。このとき、包装貨幣は「ｘ本」で示され、束紙幣は「ｙ束」と表示されている。ｘ、ｙは整数である。ｘおよびｙがゼロ以上である場合、出納機１００は、処理される貨幣に包装貨幣または束紙幣が含まれると判断する。
【０４１９】
処理される貨幣が包装貨幣または束紙幣を含む場合、表示部１５ａは、貨幣の取引先として貨幣管理装置を表示する。例えば、表示部１５ａは、第１の実施形態の図２２（Ｄ）のように貨幣管理装置２００を含む第１の取引先メニューを表示してもよく、あるいは、第２の実施形態の図３３（Ａ）のように貨幣管理装置２００のみを優先的に表示してもよい。
【０４２０】
処理される貨幣が包装貨幣または束紙幣を含まない場合、即ち、処理される貨幣がバラ硬貨およびバラ紙幣のみである場合、表示部１５ａは、貨幣の取引先として貨幣管理装置２００を表示せず、貨幣管理装置２００以外の取引先を表示する。例えば、表示部１５ａは、第１の実施形態の図２３のように貨幣管理装置２００を含まない第２の取引先メニューを表示してもよく、あるいは、第２の実施形態の図３３（Ｂ）のように貨幣管理装置２００以外の取引先を優先的に表示してもよい。
【０４２１】
尚、処理される貨幣が包装貨幣または束紙幣を含んでいても、貨幣管理装置２００が出納機１００から切断されている場合には、貨幣管理装置２００は、取引先メニューから除外される。この場合、図２３あるいは図３２（Ｂ）が表示部１５ａに表示される。
【０４２２】
処理される貨幣が、包装貨幣または束紙幣を含み、かつ、出納機１００と貨幣管理装置２００とが接続されている場合に、表示部１５ａは、取引先メニューとして図２２（Ｄ）または図３２（Ａ）に示す取引先メニューを表示する。このように、第３の実施形態は、第１の実施形態に組み合わせることができる。
【０４２３】
処理される貨幣が包装貨幣または束紙幣を含むか否かによって変更される取引先メニューは、初期設定で設定され得る。従って、第３の実施形態は、第２の実施形態に組み合わせることができる。
【０４２４】
第３の実施形態による出納機１００は、処理される貨幣に包装貨幣または束紙幣が含まれるか否かによって、取引先メニューを変更する。これにより、操作者は、包装貨幣または束紙幣の取引先を容易に選択することができるので、操作性がさらに向上する。
【０４２５】
（第４の実施形態）
第４の実施形態による出納機１００は、貨幣の処理によって取引先メニューを変更する。第４の実施形態では、図３４に示すように、処理メニューにおいて、「１０．現送入金」および「１１．現送出金」が表示される。図３４は、図２２（Ｃ）に代わって出納機１００の表示部１５ａに表示される。現送入金は、店舗内の貨幣が不足気味の場合に現金輸送によって外部から貨幣管理システムへ貨幣管を供給する処理である。逆に、現送出金は、店舗内の貨幣が超過気味の場合に現金輸送によって外部から貨幣管理システムへ貨幣を輸送する処理である。
【０４２６】
通常、図３４において、「入金」、「出金」、「装填」が選択された場合、処理される貨幣は、包装硬貨・束紙幣とバラ紙幣・バラ硬貨とが混在し得る。この場合、処理される貨幣は、包装硬貨・束紙幣のみ、あるいは、バラ紙幣・バラ硬貨のみの場合もある。一方、「回収」、「現送入金」、「現送出金」が選択された場合、処理される貨幣は、包装硬貨・束紙幣のみに限られる。従って、「回収」、「現送出金」が選択された場合、取引先は、貨幣管理装置２００であることが好ましい。ただし、「現送入金」は、店舗内の貨幣が不足している場合に選択されるため、貨幣は、包装硬貨・束紙幣ではあるが、出納機１００または手持ちへ振り分けられることが多い。勿論、「現送入金」が選択された場合であっても、操作者は、取引先として貨幣管理装置２００を選択してもよい。
【０４２７】
[回収処理、装填処理]
回収処理は、出納機１００がフルになった場合等に出納機１００の収納庫に収納された貨幣を貨幣管理装置２００に回収する処理である。装填処理は、出納機１００の収納庫がエンプティになった場合や銀行の資金が不足になった場合等に貨幣管理装置２００の貨幣を出納機１００に装填する処理である。
【０４２８】
通常、貨幣管理装置２００が出納機１００に接続されている場合、回収処理および装填処理の取引先は、貨幣管理装置２００であることが多い。貨幣管理装置２００が出納機１００から切断されている場合、回収処理または装填処理の取引先は、「手持ち」であることが多い。
【０４２９】
従って、図３４において、「回収」または「装填」が選択された場合、貨幣管理装置２００が出納機１００に接続されている限りにおいて、表示部１５ａは、第１の実施形態（図２２（Ｄ））のように貨幣管理装置２００を含む取引先メニューを表示してもよく、あるいは、第２の実施形態（図３３（Ａ））のように取引先を優先順位に基づいて順次表示してもよい。
【０４３０】
「回収」または「装填」が選択されたとしても、貨幣管理装置２００が出納機１００から切断されている場合、表示部１５ａは、第１の実施形態（図２３）のように貨幣管理装置２００を含まない取引先メニューを表示してもよく、あるいは、第２の実施形態（図３３（Ｂ））のように取引先を優先順位に基づいて順次表示してもよい。例えば、貨幣管理装置２００が出納機１００から切断されている場合、回収処理または装填処理の取引先は、「手持ち」であることが多い。よって、表示部１５ａは、貨幣管理装置２００の次に優先順位の高い取引先として、例えば、「手持ち」を表示する。
【０４３１】
[現送入金、現送出金]
図３４に示す処理メニューにおいて、現送入金が選択された場合、貨幣管理システム内の貨幣が不足している場合であるので、貨幣は、貨幣を収容しておく貨幣管理装置２００よりも、出納機１００あるいは手持ちなどに優先的に振り分けられる。従って、出納機１００と貨幣管理装置２００との接続の有無に関わらず、表示部１５ａは、第１の実施形態（図２３）のように貨幣管理装置２００を含まない取引先メニューを表示してもよく、あるいは、第２の実施形態（図３３（Ｂ））のように取引先を優先順位に基づいて順次表示してもよい。
【０４３２】
図３４に示す処理メニューにおいて、現送出金が選択され、かつ、貨幣管理装置２００が出納機１００に接続されている場合、表示部１５ａは、第１の実施形態（図２２（Ｄ））のように貨幣管理装置２００を含む取引先メニューを表示してもよく、あるいは、第２の実施形態（図３３（Ａ））のように貨幣管理装置２００を含む取引先を優先順位に基づいて順次表示してもよい。
【０４３３】
現送出金が選択されたが、貨幣管理装置２００が出納機１００に接続されていない場合、表示部１５ａは、第１の実施形態（図２３）のように貨幣管理装置２００を含まない取引先メニューを表示してもよく、あるいは、第２の実施形態（図３３（Ｂ））のように取引先を優先順位に基づいて順次表示してもよい。例えば、貨幣管理装置２００が出納機１００から切断されている場合、現送出金の取引先は、「出納機」または「手持ち」であることが多い。よって、表示部１５ａは、貨幣管理装置２００の次に優先順位の高い取引先として、例えば、「出納機」または「手持ち」を表示する。
【０４３４】
[新券]
処理される貨幣が新券である場合、貨幣は束紙幣であり、取引先は貨幣管理装置２００であることが多い。新券を出納機１００に入金すると、新券がすぐに汚れる可能性があるからである。従って、この場合、貨幣管理装置２００が出納機１００に接続されている限りにおいて、貨幣管理装置２００を取引先メニューに含めることが好ましい。
【０４３５】
そこで、図３４に示すように、操作者は、入金される貨幣が新券であることを選択できるようにしてもよい。入金される貨幣が新券である場合、表示部１５ａは、第１の実施形態（図２２（Ｄ））のように貨幣管理装置２００を含む取引先メニューを表示してもよく、あるいは、第２の実施形態（図３３（Ａ））のように貨幣管理装置２００を含む取引先を優先順位に基づいて順次表示してもよい。
【０４３６】
入金される貨幣が新券であっても、貨幣管理装置２００が出納機１００から切断されている場合には、貨幣管理装置２００は、取引先メニューから除外される。例えば、表示部１５ａは、第１の実施形態（図２３）のように貨幣管理装置２００を含まない取引先メニューを表示してもよく、あるいは、第２の実施形態（図３３（Ｂ））のように取引先を優先順位に基づいて順次表示してもよい。例えば、貨幣管理装置２００が出納機１００から切断されている場合、新券の取引先は、「出納機」または「手持ち」であることが多い。よって、表示部１５ａは、貨幣管理装置２００の次に優先順位の高い取引先として、例えば、「出納機」または「手持ち」を表示する。
【０４３７】
以上のように、本実施形態による出納機１００は選択される処理に応じて臨機応変に取引先メニューを変更する。これによって、操作者は、取引先を容易に選択することができるので、出納機１００の操作性は向上する。また、処理される貨幣が新券であるか否かによっても、出納機１００は取引先メニューを変更することができるので、出納機１００の操作性はさらに向上する。
【０４３８】
以上の実施形態において、操作者が取引先を変更するごとに、出納機１００は、図３３に示すように優先順位に従って、取引先を順次表示させている。しかし、出納機１００は、最も優先順位の高い取引先が変更になった場合、その他の取引先のリストを一画面に表示してもよい。この場合、操作者は、その取引先のリストから所望の取引先を選択すればよい。このような形態であっても、上記実施形態の効果は失われない。
【符号の説明】
【０４３９】
１００  出納機
２００  貨幣管理装置
３００  貨幣管理システム
４００  処理情報管理データベース
１１  紙幣処理装置
Ｐ１  束紙幣処理部
Ｐ２  バラ紙幣処理部
１２  バラ硬貨処理装置
１３  包装硬貨処理装置
１４  現金外ボックス
１５  制御部
１５ａ  表示部
１５ｂ  ＩＤカードリーダ
１５ｃ  制御部
１５ｄ  ＲＯＭ
１５ｅ  ＲＡＭ
１５ｆ  フレキシブルディスクドライブ
１５ｇ  ハードディスクドライブ
１６  キーボード式操作部
１８  外部プリンタ
１９  通信インタフェース（通信ＩＦ）
２１  束紙幣出金口
２２  バラ紙幣出金口
２３  包装硬貨出金口
２４  バラ硬貨出金口
３５  エンプティ検知部
３７  センサ
３９  フル検知部
２１１  第１紙幣収納ドロア
２１２  第２硬貨収納ドロア
２１３  第１紙幣収納ドロア
２１４  第２硬貨収納ドロア
２１５  予備収納庫
２１１ｍ〜２１５ｍ  開閉電磁ロック
２２１〜２２４  紙幣保管容器
２４１〜２４３  硬貨保管容器
２６１  ロードセル
２２５  制御装置（制御手段）
２２５ｄ  ＲＯＭ
２２５ｅ  ＲＡＭ
２２５ｇ  ハードディスクドライブ
２２５ｃ  制御演算部
２２６  キーボード式操作部
２２７  表示部
２２８  ＩＤカードリーダ
２２９  通信インタフェース（通信ＩＦ）
【図１】
0005591610.tif 000002
【図２】
0005591610.tif 000003
【図３】
0005591610.tif 000004
【図４】
0005591610.tif 000005
【図５】
0005591610.tif 000006
【図６】
0005591610.tif 000007
【図７】
0005591610.tif 000008
【図８】
0005591610.tif 000009
【図９】
0005591610.tif 000010
【図１０】
0005591610.tif 000011
【図１１】
0005591610.tif 000012
【図１２】
0005591610.tif 000013
【図１３】
0005591610.tif 000014
【図１４】
0005591610.tif 000015
【図１５】
0005591610.tif 000016
【図１６】
0005591610.tif 000017
【図１７】
0005591610.tif 000018
【図１８】
0005591610.tif 000019
【図１９】
0005591610.tif 000020
【図２０】
0005591610.tif 000021
【図２１】
0005591610.tif 000022
【図２２】
0005591610.tif 000023
【図２３】
0005591610.tif 000024
【図２４】
0005591610.tif 000025
【図２５】
0005591610.tif 000026
【図２６】
0005591610.tif 000027
【図２７】
0005591610.tif 000028
【図２８】
0005591610.tif 000029
【図２９】
0005591610.tif 000030
【図３０】
0005591610.tif 000031
【図３１】
0005591610.tif 000032
【図３２】
0005591610.tif 000033
【図３３】
0005591610.tif 000034
【図３４】
0005591610.tif 000035